(57)【要約】  レコードまたはコンテンツ制御管理システムにおいて、選択された様々な基準信号、レコード制御信号、コピープロテクション信号、または制御情報信号、その他のシグニファイアを使用して、ビット等の制御信号を特定して、その後のアナログ及びデジタルドメインにおいてデータ、オーディオ、及びビデオ信号の使用を制御する。コンテンツ制御システムの効果を修正するだけでなく、コピープロテクション信号の効果を修正する方法と装置を開示している。このため、基準信号、レコード制御信号、コピープロテクション信号、その他の制御情報信号、例えばコンテンツ制御信号を修正して、基準または制御信号を後で間違ってまたは望まない読み出しをさせ、これに対応してレコードまたはコンテンツ制御システムの制御コマンドを変更する。さらに、コピープロテクション信号が制御信号として使用される場合、コピープロテクション信号に修正を施して、その後に生成される制御コマンドを変更し、一方アナログドメインにおけるコピープロテクション効果を維持し、デジタルドメインにおけるレコーディングを可能にする。また、コンテンツ制御をする唯一の方法も含まれている。
2008541563.tif 000002
【特許請求の範囲】
【請求項１】
データ、オーディオまたはビデオ等の番組信号を処理する時にコピー、レコードまたはコンテンツ制御システムにおいて制御コマンドを変更する方法であって、
前記番組信号に、後で所望の機能を実行する制御コマンドを示すコンテンツ制御信号を設ける段階と、
前記番組信号及び／または前記コンテンツ制御信号の少なくとも一部を変更して、対応する変更された制御コマンドを前記コンテンツ制御システムにより後で発生させる段階とを有する方法。
【請求項２】
前記番組信号は基準信号、コピープロテクション信号、コンテンツ制御信号、レコード制御信号、またはデータ信号を含む、請求項１に記載の方法。
【請求項３】
前記基準信号、コピープロテクション信号、コンテンツ制御信号、レコード制御信号、またはデータ信号の前記番組信号における位置を決定する段階を含む、請求項２に記載の方法。
【請求項４】
前記番組信号及び／またはコンテンツ制御信号を変更して前記制御コマンドを変更するように、前記位置を決定された基準信号、コピープロテクション信号、コンテンツ制御信号、レコード制御信号またはデータ信号を選択的に修正する段階をさらに有する、請求項３に記載の方法。
【請求項５】
前記基準信号は前記番組信号に含まれる同期またはヘッダ信号を有し、
前記変更する段階は、同期またはヘッダ信号の少なくとも一部を選択的に修正して、前記修正された同期またはヘッダ信号により画成される前記制御コマンドを対応して変更する、請求項１に記載の方法。
【請求項６】
同期またはヘッダ信号があることを示すタイミング信号を発生する段階と、
選択され修正信号を供給する段階と、
前記タイミング信号に応答して前記番組信号に前記選択された修正信号を追加または挿入する段階とを含む、請求項５に記載の方法。
【請求項７】
前記番組信号は選択されたビデオラインにカラーバーストを含み、前記方法は、
カラーバーストの少なくとも一部を位相シフトして前記番組信号の前記選択されたビデオラインのうちの１つ以上のビデオライン中のカラーストライプバーストを選択的に修正する段階を有する、請求項１に記載の方法。
【請求項８】
前記修正されるカラーストライプバーストは２ラインまたは４ラインのラインパターンで配置され、
前記２ラインまたは４ラインのパターンから、それぞれ１ラインまたは３ラインのパターン、若しくは３ラインまたは５ラインのパターンへの変化により、後で検出される制御コマンドが変化する、請求項７に記載の方法。
【請求項９】
さらに、
前記カラーストライプバースト及び前記カラーバーストの位相シフトされた部分の位置を逆にして、それに対応して前記後で検出される制御コマンドを変更する段階を有する、請求項７に記載の方法。
【請求項１０】
前記修正されたカラーストライプバーストは所与のラインパターンで配置され、前記方法は、
前記所与のラインパターンを再配分して別のラインパターンを形成し、対応して前記後で検出される制御コマンドを変更する段階を含む、請求項７に記載の方法。
【請求項１１】
カラーバーストのエンベロープの前記位相シフトされた部分をそれぞれのビデオライン中で位置を遅延または前進させる、請求項７に記載の方法。
【請求項１２】
さらに、
前記カラーバーストの前記位相シフトされた部分の少なくとも一部の振幅を低減し、それにより前記１つ以上のビデオライン中の制御コマンドを変更する段階を有する、請求項７に記載の方法。
【請求項１３】
さらに、
前記振幅を低減した部分を振幅、位置、及び／またはパルス幅変調する段階を有する、請求項１２に記載の方法。
【請求項１４】
前記振幅は２０％まで修正される、請求項１３に記載の方法。
【請求項１５】
前記振幅を低減した部分のパルス幅を時間的にサブキャリアの４から６サイクルまで変更する、請求項１３に記載の方法。
【請求項１６】
前記振幅を低減した部分は前記カラーバーストの前記位相シフトした部分の始めまたは選択された領域内にある、請求項１２に記載の方法。
【請求項１７】
さらに、
前記１つ以上のビデオライン中の前記カラーバーストの少なくとも１つの選択された部分の振幅を低減または除去して、それにより制御コマンドを変更する段階を有する、請求項７に記載の方法。
【請求項１８】
前記番組信号は１つ以上の選択されたビデオライン中のカラーバーストを含み、
前記カラーバーストは、所定シーケンスで通常位相のサブキャリアサイクルと非通常位相のサブキャリアサイクルを含み、前記方法は、
前記所定のシーケンス以外のサブキャリアサイクルシーケンスを提供するように、通常位相と非通常位相のサブキャリアサイクルの前記所定のシーケンスを変更し、それにより後で検出される制御コマンドを修正する段階を有する、請求項１に記載の方法。
【請求項１９】
前記番組信号は水平及び垂直同期信号を含み、前記方法は、
水平同期信号、垂直同期信号、コンテンツ制御信号、レコード制御信号、及び／またはデータ信号の位置、配置、幅、レベル、縁、及び／またはあるなしを変更して、前記変更された制御コマンドが所望の機能を提供しないように、前記制御コマンドを後で対応して変更する段階を含む、請求項１に記載の方法。
【請求項２０】
水平同期信号を前進させて、前記同期信号とカラーストライプバーストの間の区間を増大し、十分な数のカラーストライプバーストサイクルが検出できないようにし、それに応じて前記制御コマンドを変更する段階を含む、請求項１９に記載の方法。
【請求項２１】
前記番組信号は疑似同期パルス及び／または自動利得制御（ＡＧＣ）パルスを含み、前記パルスは後で所望の機能を提供する制御コマンドを表し、前記方法は、
１つ以上の疑似同期パルス及び／またはＡＧＣパルスの位置、幅、レベル、縁、及び／またはあるなしを変更して、それに応じて変更された制御コマンドが所望の機能を提供できないように前記制御コマンドを変更する、請求項１に記載の方法。
【請求項２２】
前記番組信号は後で所望の機能を提供する制御コマンドを表すバックポーチを含み、前記方法は、
前記バックポーチの位置、パターン、分布、配置、あるなし、及び／または数を変更して、それに応じて、変更された制御コマンドが所望の機能を提供できないように前記制御コマンドを変更する、請求項１に記載の方法。
【請求項２３】
選択された電圧信号を発生する段階と、
修正されるべき前記番組信号の一部を示すタイミング信号を供給する段階と、
前記タイミング信号に応じて前記番組信号の前記一部に前記選択された電圧信号を付加し、または置換し、それに応じて前記後の制御コマンドを変更する段階とを有する、請求項１に記載の方法。
【請求項２４】
前記一部は１つ以上の選択されたビデオラインの選択された画素、バックポーチパルス、疑似同期パルス、ＡＧＣパルス、同期パルス、及び／またはデータ信号を含む、請求項２３に記載の方法。
【請求項２５】
第１と第２の選択された電圧信号を発生する段階と、
前記番組信号の第１と第２の部分を示す第１と第２の信号を供給する段階と、
前記第１と第２のタイミング信号に応答して前記第１と第２の選択された電圧信号を前記第１と第２の部分に挿入または付加し、前記制御コマンドを変更する段階とを有する請求項１に記載の方法。
【請求項２６】
データ、オーディオまたはビデオ等の選択された信号を処理する時にコピー、レコードまたはコンテンツ制御システムにおいて後で発生される制御コマンドを変更する方法であって、
前記選択された信号は組み込まれたコンテンツ制御信号またはコピープロテクション信号の少なくとも一部を含み、前記方法は、
前記組み込まれたコンテンツ制御信号または前記コピープロテクション信号の少なくとも一部を有する前記選択された信号を受け取る段階と、
前記選択された信号の少なくとも一部を修正する段階であって、前記コンテンツ制御信号及び／または前記コピープロテクション信号の少なくとも一部により前記後で発生される制御コマンドが所望の機能を果たせない段階とを有する方法。
【請求項２７】
データ、オーディオまたはビデオ等の番組信号を処理する時にコンテンツ制御システムにおいて制御コマンドを変更する方法であって、
コンテンツ制御信号を組み込まれた前記番組信号を設ける段階と、
前記番組信号及び／または前記コンテンツ制御信号の少なくとも一部を修正して、それに対応してその後に生成される制御コマンドを変更して、所望の機能を実行させない段階とを有する方法。
【請求項２８】
データ、オーディオまたはビデオ等の番組信号を処理する時にコピー、レコードまたはコンテンツ制御システムにおいて制御コマンドを変更する装置であって、
前記装置は選択されたコンテンツ制御信号を供給する回路、及び／または前記選択されたコンテンツ制御信号を前記番組信号と選択的に結合する回路を含み、
前記結合された信号に応答して、前記結合された信号の少なくとも一部を選択的に修正して、対応して修正された制御コマンドを前記コピー、レコード、またはコンテンツ制御システムにより後で生成させる装置。
【請求項２９】
前記選択的に結合する回路は加算回路を含む、請求項２８に記載の装置。
【請求項３０】
前記修正回路は、
制御信号を供給する回路と、
前記番組信号を受信し、その中のカラーバーストエンベロープの少なくとも一部を位相シフトまたは再配置するシフト回路と、
前記番組信号を受け取り、前記制御信号に応答して、前記位相シフトまたは再配置された部分を前記番組信号と結合するスイッチとを有する、請求項２８に記載の装置。
【請求項３１】
前記修正回路は、
カラーストライプバーストまたは修正されたカラーストライプバーストを供給するカラーストライプ生成回路と、
前記カラーストライプバーストまたは修正されたカラーストライプバーストを前記番組信号と結合する加算または挿入回路とを有する、請求項２８に記載の装置。
【請求項３２】
前記修正回路は、
前記番組信号を受け取り、水平または垂直同期信号を選択的に修正する同期リジェネレータ回路と、
前記修正された水平または垂直同期信号を前記番組信号と結合する加算または挿入回路とを有する、請求項２８に記載の装置。
【請求項３３】
前記修正回路は、
前記番組信号を受け取り、疑似同期パルスを選択的に変化させる疑似同期ジェネレータ回路と、
前記疑似同期ジェネレータ回路と動作可能に結合した自動利得制御（ＡＧＣ）ジェネレータ回路と、
前記ＡＧＣジェネレータ回路と動作可能に結合し、疑似同期パルス及びＡＧＣパルスの選択された変形を前記番組信号と結合するために提供するように、前記疑似同期回路及びＡＧＣジェネレータ回路に応答する加算または挿入回路とを有する、請求項２８に記載の装置。
【請求項３４】
前記修正回路は、
前記番組信号を受け取り、バックポーチ領域を選択的に変化させるバックポーチパルス回路と、
前記選択的に変化させたバックポーチ領域を前記番組信号と結合する加算または挿入回路とを有する、請求項２８に記載の装置。
【請求項３５】
前記修正回路は、
第１の入力で前記番組信号を受け取り、第２の入力で電圧源に結合されたスイッチと、
前記番組信号を受け取り、出力において前記スイッチの制御入力と結合されたタイミングジェネレータとを有し、
前記スイッチは前記タイミングジェネレータに応答して前記電圧源を前記番組信号に切り換える、請求項２８に記載の装置。
【請求項３６】
前記修正回路は、
それぞれの入力において前記番組信号と電圧信号を受け取るように構成されたスイッチ回路と、
前記スイッチ回路の出力に結合された加算回路と、
前記番組信号を受け取るように構成されたカラーストライプジェネレータ回路と同期リジェネレータ回路と疑似同期及び自動利得制御ジェネレータ回路とバックポーチジェネレータ回路とブランキングジェネレータ回路とを有し、
前記ブランキングジェネレータ回路は制御信号を前記スイッチ回路に供給し、
後で制御コマンドを変更するために、前記回路の１つ以上の出力を前記加算回路を介して前記スイッチ回路の出力と結合する、請求項２８に記載の装置。
【請求項３７】
ビデオ信号に透かし信号または波形を含む、コピー、レコード、またはコンテンツ制御システムにおける後で生成される制御コマンドを変更する方法であって、
前記ビデオ信号に単一バンド、マルチバンド、またはワイドバンドのコアリングプロセスを適用して、前記透かし信号または波形を変更し、その後に発生される制御コマンドを変更する方法。
【請求項３８】
データ、オーディオまたはビデオ等の選択された信号を処理する時にコピー、レコードまたはコンテンツ制御システムにおいて制御コマンドを修正する方法であって、
前記選択された信号は元のコンテンツ制御信号と所望の機能を実行する対応して後で生成される元の制御コマンドを示すコピープロテクション信号の少なくとも一部とをふくみ、前記方法は、
前記元のコンテンツ制御信号及び／または前記コピープロテクション信号の少なくとも一部の一部分を、前記元の制御コマンドを後で対応して変更して、変更された制御コマンドが前記元の制御コマンドの所望の機能を提供できないように変更する段階を有する方法。
【請求項３９】
ビデオ信号にコピープロテクション信号を合成する方法であって、
前記コピープロテクション信号は、通常のカラーバースト位相とは異なる位相の１つ以上のサブキャリアサイクルと、実質的に通常カラーバーストの位相の１つ以上のサイクルとを含むカラーバーストエンベロープを含み、カラーストライプバーストエンベロープを形成し、前記方法は、
前記コピープロテクション信号を維持するために前記カラーストライプバーストエンベロープの少なくとも一部の振幅を下げ、一方テレビジョンセットにおけるビデオ信号の採算性を高める段階を有する方法。
【請求項４０】
前記振幅を低減した部分は前記カラーストライプバーストエンベロープの始め、またはその中の選択された領域にある、請求項３９に記載の方法。
【請求項４１】
前記振幅を下げる段階は、前記少なくとも一部を削除または減衰する段階を含む、請求項３９に記載の方法。
【請求項４２】
さらに、
前記振幅を低減した部分を振幅、位置、及び／またはパルス幅変調する段階を有する、請求項３９に記載の方法。
【請求項４３】
さらに、
前記カラーストライプバーストエンベロープの少なくとも選択された部分の振幅を下げるか除去する段階を含む、請求項３９に記載の方法。
【請求項４４】
動的コピープロテクション効果を修正する方法であって、
コピープロテクションビデオ信号を修正して動的コピープロテクション信号を供給する段階と、
静的コピープロテクション信号で前記動的コピープロテクション信号の少なくとも一部を修正し、前記動的コピープロテクション信号の効果を低減する段階とを有する方法。
【請求項４５】
前記動的コピープロテクション信号の少なくとも一部を静的コピープロテクション信号で修正する段階は、それに対応して前記コンテンツ制御システムにおいて後で生成される制御コマンドを変更する、請求項４４に記載の方法。
【請求項４６】
前記ダイナミックコピープロテクション信号は、変調された自動利得制御（ＡＧＣ）パルス及び／または修正された負のパルスを含む、請求項４４に記載の方法。
【請求項４７】
少なくとも１つの修正されたＡＧＣパルスと及び／または負のパルスとを静的ＡＧＣパルス及び／または静的負のパルスで置換または修正する、請求項４６に記載の方法。
【請求項４８】
前記動的コピープロテクション信号の少なくとも一部を静的コピープロテクション信号で修正する段階は、それに対応して前記コンテンツ制御システムにおいて後で生成される制御コマンドを変更する、請求項４７に記載の方法。
【請求項４９】
コピー、レコード、またはコンテンツ制御システムにおいて、制御コマンドを合成する方法であって、
ビデオ信号にコンテンツ制御信号を組み込む段階と、
前記ビデオ信号と前記コンテンツ制御信号を示す制御コマンドとをディスプレイ装置に供給する段階とを有し、
前記制御コマンドは前記ディスプレイ装置に表示された前記ビデオ信号の見やすさに影響を与え、及び／またはコンテンツ制御信号を求めて準拠装置または他のコンテンツ制御システムに送る、
【請求項５０】
コピー、レコード、またはコンテンツ制御システムにおいて、制御コマンドを合成する方法であって、
ビデオ信号にコンテンツ制御信号を組み込む段階と、
前記コンテンツ制御信号を示すコンテンツ制御コマンドを生成する段階と、
前記コンテンツ制御コマンドに応答して、モノラル、ステレオ、ボイス品質、または高精細オーディオ信号を供給する段階と、
前記コンテンツ制御コマンドに応答して、選択された解像度、スクリーン／画像サイズ、または画質のビデオ信号または画像を供給する方法。
【請求項５１】
コピー、レコード、またはコンテンツ制御システムにおいて、制御コマンドを変更する方法であって、
ビデオ信号または既存のカラーストライプ信号を供給する段階と、
前記ビデオ信号または既存のカラーストライプ信号の少なくとも一部を第２のカラーストライプ信号で置換またはそれを付加して、レコードまたはコンテンツ制御システムにおいて後で生成される制御コマンドを変更する段階とを有する方法。
【請求項５２】
選択されたビデオラインにカラーバーストを有するビデオ信号にコピープロテクション信号を合成する方法であって、
少なくとも１つのビデオラインにおいてカラーバーストのカラーサブキャリア信号の少なくとも１つの部分の振幅を下げる、または変更する段階を有する方法。
【請求項５３】
選択されたビデオラインのカラーサブキャリア信号の２つ以上の部分を低減する段階を含む、請求項５２に記載の方法。
【請求項５４】
選択された期間の非通常位相または周波数サブキャリアの低減された振幅は少なくとも１つの前記部分を有する、請求項５３に記載の方法。
【請求項５５】
選択された一組のビデオラインのカラーバースト信号の少なくとも１つのサイクルに所定位相の位相交代ラインシーケンスを適用する段階を有する、請求項５２に記載の方法。
【請求項５６】
前記位相交代ラインシーケンスのカラーバースト信号の少なくとも一部に振幅の低減を適用する、請求項５５に記載の方法。
【請求項５７】
前記位相交代ラインシーケンスは、コンテンツまたはレコード制御システムにおいて制御コマンドを変更させる、請求項５５に記載の方法。
【請求項５８】
コピー、レコードまたはコンテンツ制御システムにおいて制御コマンドを変更する方法であって、ビデオ信号は水平同期パルスまたはデータ信号を含み、
前記水平同期パルスまたは前記データ信号の位置、幅、縁、レベル、及び／またはあるなしを変更して、それに対応して後で生成される時に前記制御コマンドを変更する段階を有する方法。
【請求項５９】
コピー、レコードまたはコンテンツ制御システムにおいて制御コマンドを変更する方法であって、ビデオ信号は水平同期パルスを含み、
前記水平同期パルスの前後に少なくとも１つの負のパルスを付加し、それに対応して前記制御コマンドをそれが後で生成されるときに変更する段階を有する方法。
【請求項６０】
データ、オーディオまたはビデオ等の番組信号を処理する時にコンテンツ制御システムにおいて制御コマンドを変更する方法であって、
前記番組信号及び／または前記コンテンツ制御信号の少なくとも一部を修正して、後で生成される制御コマンドを変化させる方法。
【請求項６１】
前記ビデオ信号はカラーバースト信号を含み、
疑似同期パルスの前のカラーバースト信号の選択された部分を削除または変更して、前記コンテンツ制御システムの効果を変更する、請求項６０に記載の方法。
【請求項６２】
前記ビデオ信号は同期パルスを含み、
同期パルスの選択された部分の振幅、位置、及び／またはパルス幅をシフトする段階を有する、請求項６０に記載の方法。
【請求項６３】
同期パルスの少なくとも一部をレベルシフトし、幅を狭くした負のパルス及び／または正のパルスを与える、請求項６２に記載の方法。
【請求項６４】
負または正のパルスのいずれかまたは両方はレベルが変更される、請求項６３に記載の方法。
【請求項６５】
前記ビデオ信号は１つ以上の疑似同期パルスを含み、前記疑似同期パルスの長さは変更され、狭くされ、及び／または広くされる、請求項６０に記載の方法。
【請求項６６】
前記ビデオ信号は２つ以上の疑似同期パルスを含み、前記２つの疑似同期パルス間の期間は変更され、短くされ、及び／または長くされる、請求項６０に記載の方法。
【請求項６７】
前記ビデオ信号はコンテンツ制御信号、データ信号、及び／または同期パルスを含み、
コンテンツ制御信号またはデータ信号または１つ以上の同期パルスを再配置する段階を有する、請求項６０に記載の方法。
【請求項６８】
前記ビデオ信号は２つ以上の自動利得制御（ＡＧＣ）パルスを含み、前記２つのＡＧＣパルス間の期間は変更され、短くされ、及び／または長くされる、請求項６０に記載の方法。
【請求項６９】
前記ビデオ信号は、テレビジョンラインごとに一組数の疑似同期パルス及び／または自動利得制御（ＡＧＣ）パルスを含み、  テレビジョンラインごとの前記一組数の疑似同期及び／またはＡＧＣパルスを修正する段階を有する、請求項６０に記載の方法。
【請求項７０】
前記ビデオ信号は、テレビジョンラインのアクティブ部分に同期パルスとデータまたはＣＧＭＳ信号を含み、同期パルスまたはデータまたはＣＧＭＳ信号の少なくとも一部の位置、振幅、及び／またはパルス幅を修正する、請求項６０に記載の方法。
【請求項７１】
前記ビデオ信号はバックポーチ領域を含み、  前記バックポーチ領域の一部を変更する段階を有する、請求項７０に記載の方法。
【請求項７２】
同期パルスをレベルシフトする段階を含む、請求項７０に記載の方法。
【請求項７３】
同期パルスはレベルシフトされ１つより多くの負のパルスと少なくとも１つの正のパルスを形成し、負または正のパルスのいずれかまたは両方のレベルが変更されている、請求項７０に記載の方法。
【請求項７４】
前記同期パルスは垂直同期信号を有し、  前記垂直同期信号の少なくとも一部を修正し、または前記垂直同期信号の前後に他の同期信号またはパルスを付加または挿入する段階を有する、請求項７０に記載の方法。
【請求項７５】
前記垂直同期信号の期間及び／または位置を変更することにより、または前記垂直同期信号の前後に少なくとも１つの別の垂直同期状パルスまたは同期状信号を付加または挿入することにより、前記垂直同期信号を修正する段階を有する、請求項７４に記載の方法。
【請求項７６】
前記垂直同期信号は鋸歯パルス、等化パルス、及び／または垂直同期パルスを含み、前記修正は前記鋸歯パルス、等化パルス、及び／または垂直同期パルスの少なくとも１つの振幅、パルス幅、及び／または位置の変更を含む、請求項７４に記載の方法。
【請求項７７】
前記同期パルスは垂直同期信号を含み、前記垂直同期信号は広い垂直同期パルスを含み、
広い垂直同期パルスを修正して、データ信号の読み取りまたはカウントを間違えさせる段階を有する、請求項７４に記載の方法。
【請求項７８】
前記ビデオ信号はデータまたはＣＧＭＳ信号の位置を決定するための垂直またはフレームレート信号またはパルスを含み、  前記垂直またはフレームレート信号を少なくとも部分的に変更して前記データ信号を読み間違えさせる段階を有する、請求項６０に記載の方法。
【請求項７９】
前記修正はデータ信号またはコンテンツ制御信号をスキップまたは読まないようにさせる、請求項６０に記載の方法。
【請求項８０】
前記ビデオ信号は基準スタートビットまたは基準クロック信号を含む同期パルスとデータ信号を含み、前記基準スタートビットまたは基準クロック信号の位置、期間、位相、振幅、及び／または周波数が修正される、請求項６０に記載の方法。
【請求項８１】
前記ビデオ信号は同期パルスとデータ信号とを含み、  前記データ信号の前の同期パルスを修正し、または前記データ信号の一部の振幅を修正する段階を有する、請求項６０に記載の方法。
【請求項８２】
前記ビデオ信号はデータ信号と同期パルスとバックポーチ区間とを含み、
バックポーチエリアの少なくとも１つのバックポーチを修正して前記データ信号の読み間違いを起こさせる段階を有する、請求項６０に記載の方法。
【請求項８３】
前記ビデオ信号はデータ、またはデータ信号と基準クロック信号または基準スタートビットを含むＣＧＭＳ信号を含み、前記データビット信号の少なくとも一部の位置、振幅、及び／またはパルス幅を修正する、請求項６０に記載の方法。
【請求項８４】
前記コンテンツ制御信号は動的コピープロテクション信号を形成するコピープロテクション信号の修正された部分を含み、
前記動的コピープロテクション信号の少なくとも一部を、前記コンテンツ制御システムにおいて後で生成される制御コマンドを対応して変更する静的コピープロテクション信号で修正する段階を有する、請求項６０に記載の方法。
【請求項８５】
前記コンテンツ制御システムは、動的コピープロテクション信号の少なくとも一部を含み、
前記動的コピープロテクション信号の少なくとも一部を修正してコンテンツ制御システムにおいて後で生成される制御コマンドを変更する段階を有する、請求項６０に記載の方法。
【発明の詳細な説明】
【技術分野】
【０００１】
本発明は、コピープロテクションと制御コマンドシステムに関し、具体的には、データ、オーディオ、ビデオ、ビデオ等の番組（program）信号を処理する際に、コンテンツ制御システムにおいて制御コマンドを修正（modifying）または変更（altering）する様々な方法に関する。コンテンツ制御システムは管理システムを含み、その管理システムは記録システム、配信システム、送信システム、表示システム、再生システム、信号転送システムの任意の組合せである。
【背景技術】
【０００２】
一例として、データ、ビデオ、またはオーディオの番組素材（program  material）の著作権侵害を回避するには基本的に２つのアプローチがある。一方のアプローチは、番組素材にコピー対抗プロテクション信号（anti  copy  protection  signal）を適用して、ビデオカセットレコーダ（ＶＣＲ）等のレコーダが発生する画像を不満足なものにするものである。もう一方のアプローチは、コピープロテクション情報信号すなわちコンテンツ制御信号を適用することである。このコピープロテクション情報信号は、例えば準拠レコーダを制御して、レコーディングが許されているか否か決定させ、許されていれば、コピーの回数、コピーの存続期間、その他の適用される条件や制約等を決定させる。
【０００３】
番組素材（program  material）のレコーディング、表示、配信に使用されるようなコンテンツ制御システムは、様々なコンテンツ制御ビットやコンテンツ制御信号に依存して、番組を使用する制約や許可を与える後続の制御コマンド機能を提供する。かかる制約は、例えば、コピー禁止（copy  never）、１回のみコピー可（copy  once）、所定の存続期間だけコピー化（copy  for  a  selected  duration）、コピー可、または表示、送信、もしくは配信が可または不可である。
【０００４】
ここで留意しておくが、コピープロテクション信号は記録システムやコンテンツ制御システムに対してコピープロテクション情報としても機能する。場合によっては、例えば、疑似同期パルス及び／または自動利得制御（ＡＧＣ）パルス等のコピープロテクション信号の少なくとも一部は、レコーダその他の準拠装置（compliant  device）により検知され、記録する「許可」や記録しない「許可」やその他の機能を提供する「許可」を与える。場合によっては、コピープロテクション信号またはその一部は弱められ、修正され、または求められ、コピープロテクション効果が低減されているかも知れないが、コンテンツ管理（content  control  or  management）に使用できる。
【０００５】
一方、コピープロテクション情報信号は、すべてがコピープロテクション信号として機能するわけではない。コピープロテクション情報信号（copy  protection  information  signals）には、垂直帰線区間中の標準データ信号やテスト信号の形をしているものもある。かかるデータ信号の１つはコピー生成管理システム（ＣＧＭＳ、copy  generation  management  system）信号であり、この信号は一般的には垂直帰線区間（ＶＢＩ）またはオーバースキャン領域（overscan  region）にある一連の正パルス（positive-going  pulses）を有している。これらのデータ信号は、店頭販売されているコンシューマ向けのＶＣＲやＶＨＳレコーダ等の非準拠レコーダ（non-compliant  recorders）には影響を与えない。しかし、これらのデータ信号は、データまたはコピープロテクション情報信号を受け取って解釈するように作られた準拠レコーダには影響を与える。この準拠レコーダは制御コマンドを提供する。この制御コマンドを用いて所定のコピープロテクション状態やその他の機能を生じさせる。
【０００６】
さらに別の例として、コンテンツ制御システムは、制御コマンドとして、カラーバースト位相修正（ＣＳ）、自動利得制御（ＡＧＣ）パルス、または疑似同期パルス（ＰＳ）等のコピープロテクション信号を使用できる。これらのコピープロテクション信号の特性、またはその組合せの特性に応じて、様々な特性を有するコンテンツ制御システムができる。簡単な例として、以下のものができる：
ａ）ＡＧＣパルスがオフであり、ＣＳがオフであるとき、コピーも配信もできる。
ｂ）ＡＧＣパルスがオンであり、ＣＳがオフであるとき、ある期間はコピーも配信もできる。
ｃ）ＡＧＣパルスがオンであり、ＣＳがオンであるとき、コピーも配信もできない。
【０００７】
カラーバースト位相変調（「カラーストライプ」またはＣＳと呼ぶ）の場合、検出される信号は例えば２ラインのタイプと４ラインのタイプがあり、それぞれｍ本のライン中の２ライン、または４ラインにカラーストライプがあることを意味している。この場合、２ラインのＣＳコピープロテクション信号は１つの制御コマンドを形成し、４ラインのＣＳコピープロテクション信号はもう１つ別の制御コマンドを形成する。
【０００８】
コンテンツ制御システムは、信号を受信して、上記のように、その信号を制御コマンドとして解釈するように構成された準拠装置を含む。例えば、準拠装置（compliant  device）は、パーソナルビデオレコーダ（例えば、パーソナルビデオレコーダ（ＰＶＲ）、Ｔｉｖｏ（Ｔｉｖｏ社の商標）、ＲｅＰｌａｙレコーダ（Ｄ＆Ｍホールディング社の商標）等）、デジタルビデオディスクレコーダ（例えば、デジタルビデオディスク（ＤＶＤ）レコーダ）、ビデオ−ＵＳＢまたはＩＥＥＥ１３９４アダプタ、ビデオ−ワイヤレス送信器（例えば、ビデオ−ＷｉＦｉ等）等のビデオ−デジタル変換器ユニット等である。
【０００９】
言うまでもなく、準拠装置は特定の信号を認識するように設計されたリーダまたは検出回路を含む装置である。すなわち、その信号（パルス）を解釈して、その信号に基づき、対応する制御を提供する、すなわち、制御コマンドを供給する。例えば、リーダ（reader）はアナログ信号またはデジタル信号または組み込み信号（embedded  signals）を介して情報を受信する。情報を受信すると、コンテンツまたはレコード制御システムにより「判断」または「解釈」がなされる。リーダはアナログ回路、デジタル回路、及びソフトウェアの任意の組合せで実施できる。多くの場合、リーダは基準信号に依存して、コンテンツ制御信号またはデータ信号を探し出す。コンテンツ制御信号やデータ信号はコンテンツ制御システムやレコード制御システムに情報を提供する。別の場合には、情報信号は番組コンテンツに組み込まれる。かかる組み込みの一例は、透かし波形または信号をビデオ信号、オーディオ信号、またはデジタル信号等の番組信号に付加または挿入して使用することである。組み込まれる信号を有する例では、リーダ（reader）は、透かしから情報を読み出して、コンテンツ制御システムまたはレコード制御システムに（例えば、コマンドを発生して）送る。
【００１０】
コンテンツ制御システムの一例は、２００４年１月７日に出願され、本願と同じ譲受人に譲渡された（同時係属中の）米国特許出願第１０／７５３，８４４号（発明者Ｍａｒｋ  Ａ．  Ｈｏｌｌａｒ、発明の名称「アナログビデオインターフェイスを介して権利を伝送する方法と装置（Method  and  apparatus  for  conveying  rights  across  an  analog  video  interface）」）に開示されている。この文献はここに参照援用する。コンテンツ制御システムの他の一例が、２００４年１０月２８日に出願され、本願と同じ譲受人に譲渡された（同時係属中の）米国特許出願第６０／６２３，２９７号（発明者Ｒｏｎａｌｄ  Ｑｕａｎ、発明の名称「高精細テレビジョンのためのコンテンツ管理（Content  management  for  high  definition  television）」）に開示されている。この文献はここに参照援用する。
【発明の開示】
【課題を解決するための手段】
【００１１】
本発明は、コンテンツ制御システムの制御コマンド等の効果または機能を少なくとも修正する方法と装置を提供する。コンテンツ制御システムは管理システムを含み、その管理システムは記録システム、配信システム、送信システム、表示システム、再生システム、信号転送システム、またはこれらのシステムの任意の組合せである。一例として、レコードシステムはＰＶＲやＤＶＤＲを含み、配信システムはイーサネット（登録商標）やＩＥＥＥ１３９４リンク等を含み、送信システムは（ケーブル）放送システムやＷｉＦｉ等の無線システムや光トランスミッタ等であり、表示システムはテレビジョン（ＴＶ）セットやコンピュータモニタであり、再生システムはＤＶＤプレーヤやｉＰｏｄ（アップルコンピュータ社の商標）である。
【００１２】
一実施形態では、本発明はレコーディングシステムの効果を修正する方法と装置を提供する。このレコーディングシステムはレコード制御のためにレコードビット（例えば、タグまたはブロードキャストフラグ）や、コピープロテクション信号（例えば、ＣＳ修正、ＡＧＣ及び／または疑似同期パルス）その他のシグニファイア（signifiers）に依存する。
【００１３】
本発明の他の実施形態では、レコードビット（record  bits）の前後にある水平同期または垂直同期パルス等の基準信号、コピープロテクション信号、その他の制御情報信号（例えば、放送フラグまたはフラグ）が修正され、実際のレコードビットやコピープロテクション信号は実質的に修正されない（untouched）。基準信号の少なくとも一部を修正するので、コンテンツ制御システムはレコードビット、コピープロテクション信号、またはその他の情報信号を正しく検出せず、そのためコピー、配信、表示等が可能となる。本発明のさらに別の実施形態では、データ、オーディオ、及び／またはビデオ信号の一部に干渉または同期状の信号を付加または挿入することにより、レコード及び／または制御システムにおけるその後の制御コマンドが変化する。干渉または同期状パルスは、例えば、疑似同期パルス、水平同期パルス、及び／または垂直同期パルスに似た妨害信号または付加パルスを有し、水平パルス、垂直パルス、鋸歯パルス、等化同期パルス、または疑似同期パルスを含み得る。
【００１４】
実施形態の例示として、疑似同期パルス及び／またはＡＧＣパルスを利用するレコード制御システムは、選択的に修正された１つ以上の水平同期パルスを有し、後で生成される制御コマンドがその所望の（intended）機能を提供しないようにし、それにより、制御コマンドを生成するコンテンツ制御システムを信頼性のないものとする。かかる実施形態の一例は、疑似同期及び／またはＡＧＣパルスのライン位置の十分な数の水平同期パルスを単に除去して、それぞれのコンテンツ制御信号を変更し、その後で生成される制御コマンドを変更する。これにより、疑似同期またはＡＧＣパルスの検出を信頼性のないものとする。これらのパルスは、レコード制御システムにおいて、前の水平同期パルスを検出したあとに通常は検出される。この例では、制御コマンドを変更することによりそれに対応してコピー制御を失わせ、見ることができるコピーのレコーディング、あるいはレコード制御システムの効果の修正を可能とする。
【００１５】
本発明の他の実施形態により、コピープロテクション情報信号またはコピープロテクション信号に伴う基準信号の少なくとも一部が修正される。これにより、対応するコンテンツ信号を修正され、コピープロテクション情報信号またはコピープロテクション信号を検出すると、その修正に対応して修正または変更された制御コマンドが得られる。その結果、検出結果が変更されているかまたは正しくないので、例えば準拠装置においては、番組素材の不正な配信、表示、再生、またはレコーディングが可能となる。かかる番組素材はビデオ、データ、またはオーディオ情報の形式である。また、前述のように、準拠装置には次のものが含まれ得る：レコーダまたはハードウェア（例えば、ＶＣＲ、ＰＶＲ、ＤＶＲ、アナログレコーダ、デジタルレコーダ、セットトップボックス、またはコンピュータインターフェイスカード、またはコンピュータの一部等）、ディスプレイ、ビデオ／オーディオ信号・データコンバータ（例えば、アナログビデオ・ツー・ＩＥＥＥ１３９４、ＵＳＢ、ＳＤＩ、ＤＶＩ等）、データ・アナログコンバータ（例えば、ＵＳＢ、ＩＥＥＥ１３９４、ＳＤＩ、ＤＶＩ等からアナログビデオまたはオーディオ、アナログ出力付きデジタル入力レコーダ、デジタルセットトップボックス、コンピュータインターフェイスカード等）。
【００１６】
前出の基準信号の少なくとも一部を修正する実施形態または方法、すなわちコンテンツ、レコード、再生、または管理システムの効果を修正、またはコピープロテクション信号の効果を修正する実施形態または方法は、ハードウェア及び／またはソフトウェアにより実現できる。
【００１７】
本発明のさらに別の実施形態により、コピーまたはコンテンツ制御システムにおいて後で読み出されまたは検出される制御コマンドが変更される。このコピーまたはコンテンツ制御システムは、コピープロテクション信号、またはコンテンツ制御信号を、コピー制御情報またはコピープロテクション信号の検出時に準拠装置の出力に適用する。基準信号の少なくとも一部を修正することにより、後で生成される制御コマンドの所望の機能（intended  function）、すなわち準拠装置から出力される信号へのコピープロテクション信号またはコンテンツ制御信号の適用または挿入が低減または変更される。例えば、コピー制御ビットを受け取るＤＶＤプレーヤ／レコーダは、本発明により基準信号が事前に修正または削除されている場合、コピープロテクションをオンにすることはできない。
【００１８】
後者の実施形態の例は、疑似同期パルスの前に配置された水平同期パルスの簡単な修正であり得る。コンテンツ制御システムの準拠装置における典型的な検出スキームは、疑似同期／ＡＧＣコピープロテクション信号の前に配置された、疑似同期及び／またはＡＧＣパルスのサンプリングまたは検出をするための水平同期パルスに依存する。十分な数の水平同期パルスを変更（例えば、減衰したり、幅を狭めたり、シフトしたり、削除したり）すると、コピープロテクション信号のサンプリングが正常に機能しなくなる。例えば、疑似同期（及び／またはＡＧＣパルス）の前に配置された水平同期パルスの除去またはシフトは、準拠ＤＶＤレコーダにレコーディングを可能とする十分な変更である。この例では、疑似同期及びＡＧＣパルスは、損なわれておらず、ＶＣＲにコピープロテクション効果を与えられる。
【００１９】
このように、十分な数の水平同期パルスを修正すると、レコード制御システムにおけるコピープロテクション信号の効果を低減するのに十分である。また、修正には、準拠装置の効果を変更するように、レベルシフト、減衰、時間的シフト（time  position  shifting）、幅を狭めること、または少なくとも１つの水平同期の少なくとも一部に信号を付加することが含まれる。前述のように、準拠装置には、レコーダ、信号配信システム、アナログ・デジタルコンバータ、またはデジタルアナログコンバータ、コンピュータ、携帯電話、ＰＶＲ等も含まれる。
【００２０】
本発明の他の実施形態において、関連する水平同期パルスを修正または変更するのではなく、疑似同期及び／またはＡＧＣパルスの少なくとも一部の位置をシフトしてもよい。コピープロテクション信号の少なくとも一部の位置をシフトすることにより、一部のアナログレコーダではコピープロテクション効果が発揮され、レコードまたはコンテンツ制御システムの所望の効果に影響を与え、変更し、または修正することができる。さらに別の実施形態によると、選択された位置に少なくとも１つの追加的疑似同期パルスを付加し、準拠装置における読み取りを間違えさせる。減衰、幅を狭めること、レベルシフト、位置シフト、形状の修正等により、少なくとも１つの疑似同期パルスを修正して、コンテンツ制御システムまたは準拠装置におけるその後の制御コマンドを修正することができる。
【００２１】
カラーストライプコピープロテクション（情報）信号に対して同期パルス等の基準信号を同様にシフトまたは修正すると、準拠装置に影響を与えたり、コピーまたはコンテンツ制御システムの効果に影響（例えば、低減）したりすることができる。
【００２２】
例えば、コピープロテクションのための非通常基準カラーバースト（例えば、カラーバーストの少なくとも一部が位相変調または位相シフトされている）の検出を用いるレコードまたは再生制御システムにおいて、選択された水平同期パルスをシフトまたは修正することによりシステムを変更して、レコードまたは再生制御システムが非通常基準カラーバーストを正しく検出しないようにし、制御コマンドを変更し、コピープロテクションを変更してもよい。
【００２３】
留意すべきことは、カラーストライプ効果等のコピープロテクション効果は、カラーバーストの少なくとも一部は、位相シフトまたは変調され、上記の段落で説明した水平同期パルス等の選択された同期パルスを修正またはシフト（例えば、遅延または幅を広くすること）することにより低減されることである。あるいは、少なくとも一部の位相が変化したカラーバーストは、水平同期パルスの方に前進させ、後で生成される制御コマンドを修正することもできる。この制御コマンドは、関連するコンテンツまたはレコード制御システムの少なくとも１つの効果を修正する。
【００２４】
さらに別の実施形態では、ビデオディスプレイの見ることができるエリアの（一般的には）外側に再生またはレコードタグを挿入するコピープロテクションシステムを利用する。そのタグに関連する十分な数の同期パルスの少なくとも一部を修正することにより、再生またはレコード制御システムが影響される。例えば、垂直ブランキング区間（ＶＢＩ）の選択されたラインまたはその近傍にパルスまたは信号を付加すると、選択された水平同期及びまたは垂直同期信号の修正された部分が再生またはレコード制御システムの所望の（intended）機能に影響する。
【００２５】
さらに別の実施形態では、例えば、コピー生成管理システム（ＣＧＭＳ、Copy  Generation  Management  System）またはコンテンツ制御信号等のデータ信号が、関連する垂直同期信号の少なくとも一部を変更（例えば、偽の同期信号を付加または元の垂直同期信号の少なくとも一部を再配置）することにより影響される。その後の垂直同期信号の「間違った」検出により、制御コマンドが変更され、コンテンツ制御システムが間違ったビデオライン中のデータ信号を「探す」ことになる。したがって、かかる間違ったライン位置の検出により、一般的には、ＣＧＭＳまたはコンテンツ制御信号がないこととなる。
【００２６】
さらに別の実施形態では、データ信号中の基準スタートビット、スタートパルス、クロックサイクル、またはテレビジョン同期パルスの少なくとも一部を変更するか、データ信号に間違った信号波形を付加する。もちろん、データまたはコンテンツ／レコード制御信号の少なくとも一部の位置または配置（location）（例えば、他のピクセル、ライン、フィールド、またはフレーム）をシフトして、コンテンツ／レコード制御システムにおけるコマンドを変更する。一例として、ＣＧＭＳ等のデータまたはコンテンツ／レコード制御信号を垂直同期及び／または水平同期信号に対して別の位置に動かして、コンテンツ制御システムにおけるコマンドに影響を与える。他の例では、ＣＧＭＳ信号またはデータ信号または基準信号または基準レベルまたは同期信号のあるなし（presence）を変更して、コンテンツ制御コマンドを変更する。上記の方法を用いて例えばＣＧＭＳまたはコンテンツ制御信号を変更し、管理制御システムの効果を変更または低減することができる。
【００２７】
上記の選択された実施形態を使用して、対応して修正されたカラーバーストプロテクションプロセスの効果を低減することもできる。
【００２８】
他の実施形態では、Ｎラインのカラーストライププロセスを検出してコンテンツ管理システムに提供し、数Ｎを他の数に（例えば、カラーストライプパターンを）変更して、混乱を生じさせることができる。かかる変更により、制御管理システムのリーダまたは検出器により正しく認識されないカラーストライププロセスが生じる。留意すべきことは、これらの修正の一部は、アナログレコーダではコピープロテクションの効果を実際的に高めるかほぼ維持するが、レコードまたはコンテンツ制御システムにおけるレコーディング、配信、送信、または表示は可能であることである。
本発明のさらに別の実施形態では、アナログコピープロテクション信号への修正は、コピープロテクションプロセスを生じるが、コンテンツ制御システムがレコーディングを許してしまう。例えば、コンテンツ制御システムが６０％ホワイトレベルより上に挙げられたバックポーチパルスを検知するように調整され、５０％まで高くされたバックポーチの単純な減衰により、レコードまたはコンテンツ制御システムにおけるレコーディングが可能になる。しかし、アナログレコーダは許容できるまたは通常のレコーディングはできない。
【００２９】
他の実施形態では、コピープロテクション信号のＡＧＣパルスまたは正のパルス（これらのパルスはレコーダにおいて動的コピープロテクション効果を生じる）は、コンテンツ制御システムにおいて情報を伝送し振幅変調されるが、これらのパルスを１つ以上の静的（ＡＧＣ）パルスと置換することもできる。かかるパルスの置換により、コンテンツ制御システムに供給されるコンテンツ制御信号等の制御情報が損なわれ、これによりシステムにおいて対応して生成される制御コマンドが変化する。置換または修正により、レコーダまたは表示装置（テレビジョンセット）における動的コピープロテクション効果が低減される。
【００３０】
本発明のさらに他の実施形態では、制御管理情報を伝送するために透かしを使用する。透かしは、単一バンド、複数バンド、またはワイドバンドのコアリングプロセス（coring  process）を適用することにより影響を受け得る。例えば、Ｒ．Ｑｕａｎの米国特許第６，３４９，１３９号に開示されたのと同様の単一またはマルチバンドコアリングプロセスを使用して、画質の損失を最小化する。一方、コアリングされた透かし（cored  watermark）を修正した結果、すなわち変更された制御コマンドにより求められたような望まない信頼性の低い間違った結果で読み出す。
【００３１】
さらに別の実施形態では、レベルシフトまたはその他の修正を１つ以上のバックポーチパルス（ｂｐｐ）、同期パルス、疑似同期パルス、水平ブランキング区間（ＨＢＩ）またはその近傍中の正のパルス、及び／またはＡＧＣパルスの少なくとも一部に適用して、レコードまたはコンテンツ制御システムにおけるその後の結果として生じる制御コマンドを修正または変更する。これらの修正により、アナログコピープロテクションシステムの効果または効率が低減されることもあるし、されないこともある。
【００３２】
本発明のさらに別の実施形態では、コンテンツ制御システムの結果または効果を修正するために、例えば、カラーストライプタイプのカラーバースト信号またはその一部を含む選択されたデジタルまたはＲＦ基準信号を修正する、またはレコードまたはコンテンツ制御システムの少なくともデータビットまたは信号部分を修正する方法が含まれる。
【００３３】
コピー制御システム及び／またはレコーダのコピープロテクション信号の少なくとも効果を低減する唯一の方法を含む本発明の他の実施形態がある。かかる方法の１つは、コピープロテクション及び／またはコンテンツ制御に使用するカラーストライプタイプカラーバーストを修正する。例えば、同期パルスまたはカラーストライプバースト（スプリットカラーストライプ／カラーバーストを含んでもよい）のいずれかまたは両方の位置をシフトするとき、コピープロテクション効果が低減され、及び／または、コンテンツ制御システムの後で生成される制御コマンドが変更される。したがって、制御コマンドは元の所望の機能（original  intended  function）を実行できない。
【００３４】
さらに別の実施形態では、少なくとも動的コピープロテクション効果及び／または対応するコンテンツ制御信号を生成するために選択されたビデオライン等を修正するなどの動的コピープロテクションプロセスを利用する。変調効果を変更または低減することにより、動的コピープロテクション効果を低減し、またはコンテンツ制御システムにおける制御コマンドを変更する。
【００３５】
ＡＧＣまたは正のパルスを使用する後者の実施形態の例として、コピープロテクション及び／またはコンテンツ制御のために、ＡＧＣパルスを振幅変調して、または位置、パルス幅、位相、または周波数変調して、任意的に付加的な振幅変調をする。コンテンツ制御システムのコピープロテクション効果を低減するかまたは制御コマンドを変更する方法は、修正されたＡＧＣまたは正のパルスを静的な変調すなわち変化しないまたは一定の振幅で置換することである。結果として、コピープロテクション効果の修正が低減され、コンテンツ制御システムが変更された制御コマンドを有する。同様に、コンテンツ制御システムにおいて修正された負のパルスを使用するとき、負のパルスの少なくとも１つを修正、または静的な負のパルスで置換してもよい。
【００３６】
あるいは、データ、オーディオ、及び／またはビデオ波形の少なくとも選択された部分を修正して、コンテンツ制御システムにおける制御コマンドを変化させることもできる。例えば、修正されたＡＧＣパルス（または疑似同期または同期パルス）をさらに変調することにより、準拠装置は正しい情報を読み間違い、その後の制御コマンドを間違わせる。さらに、アクティブビデオ部分を信号で変調することにより、透かしリーダの情報の読み出しの信頼性を低下させ、透かしを利用するコンテンツ制御システムの制御コマンドを変更させる。
【発明を実施するための最良の形態】
【００３７】
本発明の実施形態及び本発明と協働するコンテンツ制御システム
図１は、先行技術のコンテンツ制御システム２０の一例を示す。本発明はこのコンテンツ制御システム２０と協働する。詳細は以下に詳しく説明する。ビデオ、データ、またはオーディオ等の入力信号が入力２２に供給され、この入力信号はコンテンツ制御信号、コピープロテクション信号、またはこれらの組合せを含む。コンテンツ制御システムの検出器またはリーダ回路２４は、コンテンツ制御信号またはコピープロテクション信号を検知し、制御コマンドを発生して、プロセッサシステム２６に供給する。プロセッサシステム２６は通常は準拠装置であり、制御コマンドを利用して、番組信号を選択的に処理する。プロセッサシステム２６は、レコーダ、信号配信装置、無線トランスミッタ、信号コンバータ（例えば、ビデオ−ＵＳＢまたはＩＥＥＥ１３９４装置等）、コンピュータに入ったアクセサリカードまたはチップ（chip）、ディスプレイ等を有する。
コンテンツ制御信号とその結果得られる制御コマンドに応じて、プロセッサシステム２６により、入力信号は選択的に修正、ミュート（muted）、組み込みコンテンツ制御信号またはコピープロテクション信号とともにパススルー（passed  through）等がされる。参照数字２８で示した出力信号は、プロセッサシステム２６により修正され、プロセッサシステム２６の出力に供給される。
【００３８】
図２は、本発明の基本的な実施形態を示す図である。番組信号は参照数字３０で示したが、例えばデータ、オーディオ、またはビデオ信号を有し、入力に入れられ加算または結合回路３２に送られる。加算回路３２の第２の入力には、参照数字３４で示したコンテンツ制御信号がその入力（associated  input）を介して供給される。加算回路３２からその出力端子への出力は、コンテンツ制御信号を番組信号３０に合成、挿入、または付加して構成した合成信号３６である。場合によっては、番組信号３０は「選択」信号または「入力」信号と呼ばれる。
【００３９】
合成信号３６は修正回路３８に供給され、この修正回路３８は次に本発明に従って、番組信号に含まれたコンテンツ制御信号、番組信号、及び／またはコピープロテクション信号の少なくとも一部に選択された修正を加える。その修正の例は図４乃至図６Ｄの波形に示した。また、図２の修正回路３８の例を図８乃至図１６に一例として示した。修正回路３８の出力は、修正され合成された信号を有する番組信号３０（参照数字４０で示す）として、その出力に送られる。
【００４０】
さらに図８乃至図１６に示したように、修正回路３８は、一般的に信号発生回路、減衰回路、変調回路、コアリング（coring）回路、挿入回路、干渉回路、基準信号修正回路等の回路（selected  circuits）を有する。これらの回路（selected  circuits）は、加算回路３２により番組信号に組み込まれた制御信号を修正し、または番組信号に含まれた基準信号、データ信号、コピープロテクション信号を修正し、または番組信号のＶＢＩ中の垂直同期信号を修正する。多数の信号を本発明による修正回路３８により修正して、その修正に応じて、その後にコンテンツ制御システム（cooperating  content  control  system）で発生されるコピー制御コマンド、レコード制御コマンドまたはコンテンツ制御コマンドを変更（change  or  alteration）することができる。かかる修正の例を、図４乃至図１６に波形及び回路に示した。
【００４１】
図２Ａは、図２の修正回路３８に対応する修正回路３８を示す。この修正回路３８は、図２に示した修正合成信号４０に対応する信号４０を発生するものである。修正合成信号（modified  combined  signal）４０はコンテンツ制御信号を含み、図１のシステム２０に対応するコンテンツ制御システム２０′に送られる。修正回路３８は入力信号の選択された部分を変更し、コンテンツ制御システム２０′が発生する制御コマンドや制御関数（control  function）を変更されたものまたは意図されなかったもの（例えばエラーとなるもの）とする。コンテンツ制御システム２０′は、例えば、以下に説明する図２Ｃと図２Ｄに示したコンテンツ制御システム２０−２０ｃと同様である。
【００４２】
図２Ａは、修正回路３８が入力信号に含まれる基準信号（selected  reference  signal）の少なくとも一部を修正または変更し、その変更に対応して、その後のコンテンツ制御システム２０′の制御コマンドや制御機能を変更させる本発明の他の一実施形態を示す。
【００４３】
図２Ａは、修正回路３８がコンテンツ制御信号の全部またはその一部（selected  portion）を修正し、その後にコンテンツ制御システム２０′が発生する制御コマンドまたは制御機能を変更する、本発明の別の一実施形態も示す。
【００４４】
図２Ａは、修正回路３８が基準信号とコンテンツ制御信号の少なくとも一部（selected  portion）を修正し、その後のコンテンツ制御システム２０′の制御コマンドや制御機能を変更させる、本発明のさらに別の一実施形態を示す。
【００４５】
図２Ａは、コンテンツ制御信号が、透かしがビデオ信号に組み込まれた形式であり、そのビデオ信号と透かしがスクランブルされた別の実施形態も示す。このため、透かしを入れた信号は修正回路３８によりスクランブルまたはエンコード（encoded）され、その信号により（subsequent）制御コマンドが変更される。ビデオ信号を読み出すため、デコーダまたはデスクランブラ４１が修正されたビデオ信号を受信し、デコードまたはデスクランブル（descramble）する。この実施形態は制御コマンドを変更する方法（process）、またはコンテンツ制御システムを回避する方法として機能する。
【００４６】
図２Ｂは、図１のシステム２０に対応するコンテンツ制御システム２０ａの環境を示す。入力信号がシステム２０ａに入力される。システム２０ａはレコーダ、配信器、トランスミッタ、変換器、ディスプレイ等の装置４２を含む。コンテンツ制御システム２０ａはレコード制御システムを表す。入力信号は、図２の出力を介して供給される修正合成信号４０を含み、それゆえ修正されたコピープロテクション信号及び／または修正されたコンテンツ制御信号を含む。修正合成信号（modified  combined  signal）４０は、図１のリーダ回路２４と同様の検出器またはリーダ回路２４に結合され、その出力は対応して修正または変更された制御コマンドを装置４２に供給する。
【００４７】
装置４２はレコーダであるとする。このレコーダは、修正または変更された制御コマンドに応じて、レコーディングを許可したり禁止したりすることができる。別の例では、レコーダはレコーディング（recording）をして、そのレコーディングにコンテンツ制御信号及び／またはコピープロテクション信号を挿入または付加して出力することができる。修正または変更された制御コマンドに応じて、レコーダは例えばオーディオ信号をモノラルモード、ステレオモード、音声品質モード、または高精細モードで記録（record）する。レコーダは、本発明により修正された制御コマンドに応じて、ビデオ信号を様々なスクリーンサイズや解像度で出力することもできる。
【００４８】
本発明の一実施形態では、図２Ｂの装置４２はコンテンツ制御システム２０ａ中の配信制御装置または送信制御装置であり、修正合成信号４０は番組信号３０はコンテンツ制御信号またはコピープロテクション信号を含む（図２）。修正合成信号４０の配信または送信は、検出器またはリーダ回路２４により発生される修正または変更されたコマンドに依存する。この検出器またはリーダ回路２４は、図２から出力される、コンテンツ制御信号またはコピープロテクション信号を含む入来する修正合成信号を読み込む。その信号に対応して発生される修正制御コマンドに応じて、配信または送信制御システムは出力をせず（prohibit）、または信号４０の配信または送信を継続する。継続するとき、コンテンツ制御システムまたはコピープロテクション信号を付加してもしなくてもよい。例えば、モノラル、ステレオ、音声、高精細オーディオ品質、または画像またはビデオの品質に関して様々なスクリーンサイズ、解像度を説明した前の段落で述べたように、信号４０は、例えば選ばれた音声品質またはビデオ品質で配信または送信してもよい。装置４２は静止画像や写真に関するものであってもよいことに留意してほしい。
【００４９】
図２Ｃは、コンテンツ制御システム２０ｂを利用する本発明の一実施形態を示している。図２Ｂの装置４２はコンテンツ制御システム２０ｂのディスプレイ装置４４を含む。修正合成信号４０等の入力信号は、コンテンツ制御信号またはコピープロテクション信号を含み、検出器、リーダ、またはプロセッサ回路４６を介してディスプレイ装置４４に結合されている。本発明の修正回路３８により事前に修正されたコンテンツ制御信号またはコピープロテクション信号に応じて、検出器、リーダ、またはプロセッサ回路４６の出力の１つはクランプエラー信号であり、このクランプエラー信号は加算回路４８に送られる。加算回路４８の他の入力は修正合成信号（modified  combined  signal）４０であり、その加算回路４８の出力によりディスプレイ装置４４の表示は最適なものより悪くなる。
【００５０】
あるいは、検出器、リーダ、またはプロセッサ回路４６のもう１つの出力には、ディスプレイ装置への制御コマンドが発生されて出力され（点線で示した）、視聴中の番組を修正する（例えば、表示される画像を暗くし、または破り、解像度や画像品質を変更する）。さらに別の実施形態では、ディスプレイ装置４４は見ることができる画像を表示するが、ディスプレイ装置４４の出力の（表示されている）番組信号にはコンテンツ制御信号またはコピープロテクション信号を含んでいる。上記の図２Ｂと図２Ｃの説明は、コンテンツ制御システムの新規な唯一の方法（使用）を説明していることに留意してほしい。
【００５１】
図２Ｄは、コンテンツ制御システム２０ｃを利用する、本発明の他の実施形態を示す。ここでは、図２の修正回路３８により修正または変更された制御コマンドには、挿入器または加算回路５２により信号プロセッサまたはレコーダ５０（の出力等）に付加信号を挿入または付加する。付加信号はコンテンツ制御信号またはコピープロテクション信号であり、合成信号（combined  signal）５４は挿入器または加算器回路５２の出力を介して供給される。
【００５２】
図２Ｅは、図２Ｂ乃至図２Ｄで使用される、回路２４または４６等の先行技術のリーダまたは検出システムの一例を示している。この例では、図２の修正合成信号４０等の入力信号中にあるコンポジット同期（composite  sync）信号等の基準信号を、同期分離器（sync  separator）回路等である基準信号検出器５６により検出する。検出器５６の出力はタイミング回路５８に結合され、タイミング回路５８はコンテンツ制御信号またはコピープロテクション信号の少なくとも一部と同時に信号を出力する。サンプリング回路６０はタイミング回路５８からの信号の少なくとも一部をサンプリングし、コンテンツ制御信号またはコピープロテクション信号を探し出す。サンプリング回路６０の出力はコンテンツ制御信号またはコピープロテクション信号が付加されていること（presence）を示す信号を出力する。（点線で示した）ピーク検出器６２が付加されて、一定時間（selected  time  duration）の間だけ出力信号をホールドして、コンテンツ制御信号またはコピープロテクション信号が付加されていること（presence）を示す、より有用な信号を供給することもできる。
【００５３】
例えば、図２Ｅにおいて、ビデオ信号中のバックポーチ信号が高くなっているとき、タイミング回路５８は水平同期パルスをタイムオフ（time  off）して、バックポーチサンプリングパルスを発生する。サンプリングパルスはサンプリング回路６０に送られる。このサンプリング回路６０はバックポーチパルスが高くなっている（the  presence  of  raised  back  porch  pulses）ことを示す信号を出力する。留意すべきこととして、（例えば、回路３８による修正により）水平同期パルスがないとき、タイミング回路５８は高くなったバックポーチ信号と同時に信号を出力せず、サンプリング回路６０に間違った信号を出力させる。サンプリング回路はＡＧＣ及び／または疑似同期パルスも検知して、レコード制御またはコンテンツ制御に使用する。また、ＡＧＣまたは疑似同期パルスの少なくとも一部を変更すると、レコード制御コマンドまたはコンテンツ制御コマンドが修正される。
【００５４】
図２Ｅの回路例は、１９９０年３月６日にＯ．  Ｒｙａｎに発行された米国特許第４，９０７，０９３号（発明の名称「ビデオ番組のコピー防止方法及び装置」）の図２に開示されている。
【００５５】
図２Ｆは、図２Ｅのタイミング及びサンプリング回路ではなく、周波数検出器によりコンテンツ制御信号またはコピープロテクション信号を検出する先行技術の方法を示している。例えば、ＡＧＣパルスや疑似同期パルス等の信号は特定の繰り返しレートを有している。周波数検出器等を使用することにより、これらの信号を検出できる。例えば、疑似同期パルスまたは一部のＡＧＣパルスは約１６０ｋＨｚから１００ｋＨｚまでの周波数を発生する。コンポジット同期分離器または基準信号検出器５６により発生される基準信号は周波数検出器回路６４に送られ、回路６４またはピーク検出器６２に１００ｋＨｚから１６０ｋＨｚの帯域の周波数を示す信号を出力させる。この周波数は、ビデオ信号中に疑似同期信号があることを示す。一方、通常の同期パルスの周波数は約１５．５ｋＨｚ、３２ｋＨｚ、及び５０Ｈｚまたは６０Ｈｚである。周波数検出器回路６４またはピーク検出器６２からの高い周波数出力は、例えばコピーを禁止するコマンドを提供する。すなわち、検出器回路６４、６２は、例えば疑似同期信号があることを示す信号を供給し、それにより入力信号、すなわちビデオ信号のレコーディングや配信を禁止する。周波数検出器回路６４は、エンベロープ検出器を有するＦＭ弁別器／検出器またはエンベロープ検出器を有するバンドパスフィルタを含む。もちろん、いかなるタイプの周波数・電圧コンバータまたは周波数・電流コンバータもＦＭ検出器／弁別器として使用できる。例えば、位相ロックループ回路を使用してもよい。
【００５６】
図２Ｆの回路の例は、前出の米国特許第４，９０７，０９３号の図５に開示されている。
【００５７】
図２Ｇは先行技術による検出器回路を示している。ここでは、所定のビデオラインの所定の画素をサンプリングして、コンテンツ制御信号またはコピープロテクション信号が付加されているか（the  presence  of  content  control  or  copy  protection  signals）調べる。この場合、基準信号検出器５６は、同期分離器（sync  separator）回路でもよく、ビデオ信号を入力として受け取る。検出器５６の信号はフィールドまたはフレーム基準検出器回路６６に出力される。検出器回路６６が出力する信号は、コンテンツ制御信号またはコピープロテクション信号と少なくとも動じである。
【００５８】
例えば、図２Ｇを使用して、疑似同期パルスの後のＡＧＣ信号を検出する。ここで、入力されるビデオ信号を知られているＡＧＣパルスの位置でサンプリングする。サンプリング回路６８はＡＧＣパルスが付加されていることを示す信号を供給する。ＡＧＣパルスを示すかかる信号を使って、例えば、図２の信号３６による制御コマンドを発生する。制御コマンドはビデオ信号等のレコーディングや配信を防止するために使われる。同様に、図２ＧはＣＧＭＳ信号等のデータ信号を検出するために使用される。このＣＧＭＳ信号はコンテンツ制御信号として機能する。
【００５９】
図２Ｇの回路の例は、前出の米国特許第４，９０７，０９３号の図６に開示されている。米国特許第４，９０７，０９３はここに参照援用する。
【００６０】
図３は修正システム７０を含む本発明の一実施形態を示している。このシステムは、同期またはヘッダ検出器／リーダ回路７４が同期信号またはヘッダ信号を同期またはヘッダ修正器回路７２に送る構成となっている。回路７２は信号７３を出力する。この信号は所定区間（selected  intervals）において同期またはヘッダ信号が修正されている。例えば、同期またはヘッダ信号への修正によりコンテンツ制御システムにおいてコマンドが変更される。
【００６１】
図３Ａは、本発明の別の実施形態を示し、入力信号がタイミング回路７６と検出器、加算器及び／または挿入器回路７７とに入力される。タイミング回路７６は検出器、加算器、及び／または挿入器回路７７にタイミング信号を供給し、ジェネレータ７８は回路７７に所定の修正信号（selected  modifying  signal）を供給する。入力信号は修正されて修正信号（modified  signal）７９となる。この修正は、入力信号の一部を削除すること、または信号ジェネレータ７８からの修正信号をタイミング信号に応答して入力信号に付加または挿入することにより行われる。
ジェネレータ７８は同期パルスジェネレータを含む。この同期パルスジェネレータは同期分離器／検出器回路が検出可能な大きさ（amplitude）の同期パルスを供給する。同この同期パルスは、所定のライン（selected  lines）に対して通常配置された水平同期の前後に配置された付加的同期パルスであってもよい。あるいは、この同期パルスは、通常配置された垂直同期パルスの前後に配置された付加的な広いパルス／信号または垂直パルス／信号であってもよい。これらの同期パルスは水平または垂直同期パルスの規格（例えば、パルス幅、高さ）に適合するものでも異なるものでもよい。また、ジェネレータ７８は、ビデオ信号の一部（好ましくはオーバースキャン領域）に所定パルス幅（及び／または所定の大きさ）の少なくとも１つの特別等化パルス（extra  equalizing  pulse）を付加する。ジェネレータ７８は、例えば幅を広くしたり、狭くしたり、大きさを変えたりして、等化パルス、鋸歯状パルス、水平パルス、及び／または（広い）垂直パルスのパルス幅や大きさを変更してもよい。
【００６２】
本発明による基準信号の選択された修正を利用する実施形態
図４は、水平同期パルス８０とカラーバースト８２とを有する典型的なビデオ信号の一部を示し、疑似同期パルス８４とＡＧＣパルス８６をコピープロテクション信号として含んでいる。一般的な場合には、疑似同期パルス８４はレコードまたはコンテンツ制御システムの基礎として使用される。例えば、ＤＶＤレコーダが疑似同期パルス８４を検知すると、レコーディングは禁止される。通常の同期パルス８０を使ってアクティブな画素／ラインエリア（active  pixel/line  area）を探し出す。ここで、疑似同期パルス及び／またはＡＧＣパルスはアクティブなビデオライン領域内にある。通常、通常の同期パルスを休み（timing  off）、アクティブラインゲーティングウィンドウパルス（active  line  gating  window  pulse）をトリガー（triggered）する。このゲーティングウィンドウにより、リーダまたは検出回路は、レコードまたはコンテンツ制御システムの基礎となるのに十分な疑似同期パルスまたはＡＧＣパルスがあることを検出できる。
【００６３】
図４Ａは、本発明による、図４のビデオ信号に対する修正を含むビデオ信号の一部を示す。この実施形態では、所定数の水平同期パルス、好ましくは疑似同期パルス８４と関連する少なくとも１つの水平同期パルス８０（図４）を削除し、それによりレコードまたはコンテンツ制御システムのコンテンツ制御コマンドを変更する。例えば、所定数（selected  number）のビデオライン中の疑似同期パルスの前の水平同期パルスの一部または全部を除去すると、レコード／コピー制御の効果がなくなる、または低減される。これにより、ＤＶＤレコーダはコピープロテクションまたはコピー制御されたビデオ信号を記録でき、見られる画像（viewable  picture）を再生できる。少なくとも１つの場合において、再生ビデオ信号を生成したＤＶＤレコーダは、失われた（例えば、除去された）水平同期パルスを再生し、及び／またはコピープロテクション信号（例えば、疑似同期またはＡＧＣパルス）の少なくとも一部を除去している。
【００６４】
さらに、疑似同期パルスの前に配置されたカラーバーストは、検知方法の一部として使用される。このため、１つ以上のカラーバーストの所定の部分または全部（点線８２′で示した）を削除または変更して、レコードまたはコンテンツ制御システムの効果を変更する。言うまでもなく、所定数（selected  number）の水平同期パルスの所定部分（selected  portion）を修正すれば、コンテンツまたはレコード制御システムのコンテンツ制御コマンドが変更される。
【００６５】
図４Ｂは、本発明の一実施形態を示すビデオ信号の波形を示している。この波形は、水平同期パルス９０等の基準信号の修正を含み、水平同期パルス９０の少なくとも一部の幅、位置、振幅レベルの修正を含む。水平同期パルス等の基準信号に十分な修正をすると、レコードまたはコンテンツ制御システムにおいて、疑似同期パルス８４の読み間違い（misreading）が生じ、レコードまたはコンテンツ制御システムが制御コマンドを変更する。水平同期パルスに対する修正には、例えば、パルス９０の選択的なシフトが含まれる。特に、矢印ａとｄはパルス９０を進ませることと遅らせることを示し、矢印ｂとｃはパルス９０の前縁と後縁を選択的にシフトさせ、パルスのシフトやパルス区間を狭めたり広げたりすることを示す。矢印ｅは水平同期パルス９０の振幅部分の上げ下げを示す。同様に、水平同期パルスの図４Ｂに示した修正は、垂直同期信号の少なくとも一部に適用して、例えばコンテンツ制御システムにおけるコマンドを変更することもできる。
【００６６】
留意すべきこととして、上記の水平同期の修正は疑似同期パルス８４とＡＧＣパルス８６により提供されるコピープロテクション効果を変更しないが、レコードまたはコンテンツ制御システムにおいて制御コマンドを変更する。前述の通り、レコードまたはコンテンツ制御システムが影響を受けるのは、疑似同期及び／またはＡＧＣパルスを「見つける」ために、そのリーダ（検出器）回路が通常の同期パルスの検知に頼っているからである。また、１つ以上の同期パルス（例えば、水平、垂直、鋸歯、等化、及び／またはヘッダ）の少なくとも一部の振幅、パルス幅、及び／または位置を修正すると、制御コマンドが変わる。言うまでもなく、水平同期パルスの前後の負のパルスにより、生成される制御コマンドが変更される。例えば、水平または疑似同期パルスの前後に（所定振幅及び／または長さの）同期パルスまたは負のパルスを追加すると、コンテンツ制御システムにより検出されて、コンテンツ制御コマンドが変更される。
【００６７】
図４Ｃは、本発明の一実施形態を示すビデオ信号の波形である。この波形は水平同期パルス９２が修正されており、水平同期パルス９２のレベルが変更されている。この修正が水平同期パルス（の選択された組）に適用されると、その組のパルスの幅を歪め、コピーまたはコンテンツ制御システムの制御コマンドを変更する。この例で留意すべきことは、疑似同期及びＡＧＣパルス８４と８６、及び水平同期パルス９２の高くなった部分９４があるため、コピープロテクション効果はそのまま維持されるか、高くなることである。水平同期パルスの前縁を検出すると、図４Ｃに例示した幅を狭くした水平同期パルスにより、コンテンツまたはコピー制御システムは、例えば、疑似同期及びＡＧＣパルス８４、８６を正しく探し出すために必要な標準の水平同期パルスを間違って検出する。水平同期パルス９２の修正には、矢印９６で示したように、水平同期パルス９２の先端部のレベルシフトも含まれる。パルスの先端９６を上にシフトすると、レコードまたはコンテンツ制御システムにおける検出を避けることができ、コンテンツ制御コマンドが変更される。選択された水平同期パルスの少なくとも一部をシフトすると、水平同期パルスが間違って検出され、疑似同期パルスがレコードまたはコンテンツ制御システムにおいて検出されない。留意すべきことは、どの同期パルスの立ち上がり時間及び／または立ち下がり時間を修正して、レコードまたはコンテンツ制御システムにおける制御コマンドを変更できることである。
【００６８】
図４Ｄは、図４Ｃの実施形態と同様の場合を示す、本発明の一実施形態のビデオ信号波形である。この波形は、水平同期パルス９８が部分１００、１０２及び／または１０４に分割され、矢印で示したように同期パルス９８の相異なる部分がレベルシフトされている。選択された水平同期パルスの部分１００−１０４の分割及びレベルシフトという修正により、疑似同期パルスまたはコピーまたはコンテンツ制御信号の検出に通常使用される通常水平同期パルスが間違って検出される。留意すべきことは、ＶＣＲ等のコピープロテクション効果は、コピープロテクション信号により維持され、または水平同期パルス部分１００、１０２があるため高くなる。もちろん、パルス１００または９４の電圧を、例えば、ブランキングレベルより高く約−３０ＩＲＥより上に設定してもよい。
【００６９】
疑似同期パルス８４とＡＧＣパルス８６は、水平同期パルス９０、９２、９４、９６、９８、１００及び／または１０２で示したように（図４Ｂ乃至図４Ｄ）、同様に修正される。これらの修正には、パルスの少なくとも一部における、レベルシフト、パルス幅変更、少なくとも１つの縁（edge）の位置変更、少なくとも１つの縁または遷移（transition）の追加、振幅変更、及び／または単一パルスから複数パルスを作るような周波数変更が含まれる。
【００７０】
図４Ｅは、レコードまたはコンテンツ制御システムの制御コマンドを変化させる様々な方法を示す、一実施形態のビデオ信号波形を示す。一部のリーダまたは検出器回路において、疑似同期パルス及び／またはＡＧＣパルスの周波数はある周波数帯域に設定される。この周波数を例えば既知の周波数より下に下げると、図４Ｅの疑似同期パルス８４′とＡＧＣパルス８６′で示した例では、検出器回路は疑似同期パルスがあることを間違って読み取り、レコードまたはコンテンツ制御システムにおいてコマンドが変更される。留意すべきことは、図４Ｅにはパルスの周波数を下げる例を示したが、周波数を上げても制御コマンドが変更される。
【００７１】
上記の修正の替わりに、図４Ｅは少なくとも１つの疑似同期パルス８４′の幅を広くすることが示されている。しかし、一般的に、検出器回路は、疑似同期の幅が通常の水平同期パルス幅が概して狭い（例えば、２．３ｕｓｅｃに対して４．７ｕｓｅｃ）ことを検出器回路は検出することが知られている。少なくとも１つの疑似同期パルス８４′の幅を広くする場合（疑似同期パルスの周波数に係わらず）、検出器回路は幅が広くなった疑似同期パルス８４′を水平同期パルスとして読み間違える。したがって、検出器回路には、１つ以上の疑似同期パルスが検出されたことが分からない。同様に、疑似同期パルス及び／またはＡＧＣパルスの周波数を上下すると、レコードまたはコンテンツ制御システムにおいてコマンドが変わり得る。また、少なくとも１つの疑似同期またはＡＧＣパルスを再配置すると、レコードまたはコンテンツ制御システムの制御コマンドが変更される。例えば、疑似同期パルスに対して水平同期パルスを再配置する、またはその逆により、レコードまたはコンテンツ制御システムにおけるコマンドが変化する。言うまでもなく、疑似同期パルス８４または８４′の幅を広くしたり狭くしたりすると、レコードまたはコンテンツ制御システムへのコマンドが変化する。例えば、同期パルスは、幅を広くすると、コンテンツ制御システムのリーダ（reader）により「通常の」同期パルスであり疑似同期パルスではないと解釈される。一方、パルス（８４または８４′）の幅を狭くすると、（そのリーダにより）同期パルスではないと解釈される。また、点線で示したように、疑似同期パルス幅が実質的に正しいが、疑似同期パルスの周波数が正しくないとき、結果としてコマンドは変わってくる。
【００７２】
言うまでもなく、図４Ｂ乃至図４Ｄのパルス９０−１０４として示した水平同期パルスの任意の修正を図４Ｅの実施形態と組み合わせて、レコードまたはコンテンツ制御システムの制御コマンドを適宜変更することができる。
【００７３】
図４Ｆは、本発明の一実施形態のビデオ信号波形であり、後でレコードまたはコンテンツ制御システムのリーダまたは検出器回路に同期パルスを読み間違えさせる方法として、水平同期パルスの少なくとも１つを選択的に再配置することを示している。すなわち、制御コマンドが変更される。この例では、疑似同期／ＡＧＣパルスの最後のペア８４′′／８６′′の後に水平同期パルス８０′が再配置される。検出器回路は、再配置された水平同期パルス８０′の後に疑似同期パルス及び／またはＡＧＣを検知することを予期しているが、この例に示したように何もない。よって、検出器回路は、疑似同期パルスは検出されなかったと「了解」する。留意すべきことは、レコードまたはコンテンツ制御システムに影響を及ぼすためには、水平同期パルスは疑似同期／ＡＧＣパルスがあるとことであれば、波形のどの部分に再配置されてもよいことである。図４Ｅの実施形態と同様に、レコードまたはコンテンツ制御システムの制御コマンドは変更されるが、コピープロテクション効果は維持される。
【００７４】
図４Ｇは、疑似同期パルス１１０とＡＧＣパルス１１２の一般的な先行技術による配置を示すビデオ信号波形である。これらのパルスは通常はレコードまたはコンテンツ制御システムにより検出される。
【００７５】
図４Ｈは、疑似同期パルス１１０′とＡＧＣパルス１１２′を選択された一組のビデオライン上に再分配したところを示す、本発明の一実施形態のビデオ信号波形である。この例では、１ビデオラインごとの疑似同期／ＡＧＣパルスの数は、図４Ｇの信号中の数と異なってもよく、パルスペア間の感覚もことなってもよい。疑似同期及び／またはＡＧＣパルス１１０′、１１２′の再分配により、レコードまたはコンテンツ制御システムにおける制御コマンドに影響（例えば、変化）がある。
【００７６】
図４Ｉは、ＣＧＭＳ信号等のデータ信号１１４の修正を示す、本発明の一実施形態のデータ信号波形である。水平同期パルス１１６及び／またはスタートパルス１１８の少なくとも一部の位置、縁（edge）、または振幅に１つ以上の修正がなされる。水平同期パルス１１６の少なくとも一部の位置、幅、縁及び／または振幅を矢印ａ−ｅで示したように修正することにより、データ信号用のリーダまたは検出器回路は、後で（subsequently）元の制御コマンドに対して間違った、すなわち変更された制御コマンドを発生する。留意すべきことは、図４Ｃ、４Ｄまたは４Ｆのパルス９２−１０４により示されたような前出の水平同期パルスの修正を適用して、ここで、データ信号１１４の読み取り（reading）または検出を選択的に修正する。また、水平同期パルスの前後に負のパルス（negative  going  pulse）を付加することにより、コンテンツまたはレコード制御システムによりこのパルスが検知され、コマンドが変更される。例えば、この負のパルスは、図４Iの同期パルス１１６または図４Jの同期パルス８０の前後に置かれ、コンテンツまたはレコード制御システムにおけるコマンドを変更する。
【００７７】
さらに、別の一実施形態または組み合わせの実施形態において、データ信号１１４のスタートビットまたはスタートクロック信号の一部の位置、幅、縁（edge）、振幅及び／または周波数を修正することにより、スタートパルス１１８（スタートビットまたはスタートクロック信号）を少なくとも部分的に修正する。ここで、修正回路３８（図２）により生成された変更制御コマンドにより、間違った読み取りまたは検出がなされる。
【００７８】
図４Ｊは一実施形態のデータ信号波形であり、データ１２０自体への様々な修正を示している。この修正には、データ１２０の少なくとも一部の修正が含まれる。修正には、矢印ｋ、ｌで示したような位置シフト、または少なくとも１つのデータビットの周波数を変化させるようなデータ信号の少なくとも一部の時間的な圧縮と拡張が含まれる。また、少なくとも１つのデータビットの振幅の変更はさらに別の修正である。データ信号１２０になされるこれらの修正はいずれもレコードまたはコンテンツ制御システムの制御コマンドを変更する。
【００７９】
図４Ｋは、本発明の一実施形態を示す波形であり、水平同期パルスを十分大きく修正して、コンテンツ制御システムに、本発明により、その所望の機能を実行できないように制御コマンドを変更させる。このため、同期端（sync  tip）の一部のレベルのシフト（矢印ｄ、ｅ、ｆ参照）や位置、幅または前後縁位置の変更（矢印ａ、ｂ、ｃ参照）により、水平同期パルス１２１を修正する。言うまでもなく、同期パルスの修正により、例えば、不正なレコーディング（recording）ができる。しかし、再生プロセスにより実質的に通常の同期パルスが再生され、図４Ｋに示されたような同期パルスの修正が置換される。
【００８０】
言うまでもなく、図４Ｋの水平同期パルスの修正は、カラーバーストエンベロープ（color  burst  envelope）が修正されたコンテンツ制御またはコピープロテクション信号（例えば、カラーストライプ信号やカラーストライププロセス信号の変形）にも適用できる。同期パルス（または基準信号）を修正することにより、コンテンツ制御システムはカラーストライププロセスやその信号を検出できなくなり、コンテンツ制御コマンドが変化する。しかし、配信または準拠装置やレコーダ（アナログ・デジタルコンバータ、デジタルレコーダ、ＤＶＤＲやＰＶＲ等）における再生の時に、（元の修正された）同期パルス（またはカラーバースト）が再生され、より通常に近い同期パルス及び／またはより通常に近いカラーバーストが供給され、より見ることができる（more  viewable）コピーが可能となる。すなわち、図４Ｋに示したような修正同期パルスは、信号を表示するためにテレビジョンセットに（例えば、直接的に）供給する時、支払いの問題（payability  problem）が発生する。
【００８１】
言うまでもなく、ビデオ信号の少なくとも一部に（所定信号、ランダム信号または波形信号等の）干渉信号または波形を付加することにより、同期パルス、疑似同期パルス、及び／またはＡＧＣパルスはコンテンツ制御システムにおけるコマンドを変更することができる。かかる干渉信号は、普通は、例えば準拠装置またはレコーダ中の同期パルス再生回路により「クリーンアップ（cleaned  up）」される。
【００８２】
図４Ｌは、データ信号１２６を探し出すためのビデオラインのカウントを間違わせるように、データ信号の様々な場所に、偽の垂直同期パルスまたは信号１２２や１２４等を付加する方法を示す、本発明の一実施形態を示す。通常の垂直同期信号１２８は、偽の垂直同期信号がなく、データ信号１２６の読み出しが正しくできる。図４Ｌに示したように、通常の垂直同期信号及び／または偽の垂直同期信号の位置及び／または縁（edge）が変調され、ビデオラインのカウントを間違わせ、それによりコンテンツ制御システムにおける制御コマンドを変化させる。
【００８３】
図４Ｍは、本発明の一実施形態の部分データ信号波形であり、垂直同期信号が再配置（relocation）されたさらに別の例を示している。１３０、１３２、１３４及び１３６で異なる位置が示され、再配置された各垂直同期信号によりデータ信号１２６が間違って読み出され、または検出される。データ信号１２６の読み出しを試みても、ラインの位置についてミスカウント（miscount）が生じるように、元の垂直信号１２８（図４Ｌ）が少なくとも部分的に除去され、他の垂直同期状の信号が挿入または付加されている。
【００８４】
図４Ｌと図４Ｍにおいて、偽の垂直同期信号または垂直同期信号に似た信号の付加により、２つ以上の垂直同期状パルスまたは信号よりなるＶＢＩが提供される。これにより、信号が表示のためにテレビジョンセットに直接供給されると、支払い問題（payability  problem）が生じる。しかし、準拠レコーダやレコーダ制御システムのリーダや検出器回路は、間違ったデータラインを読み出し、データラインがないと思う。これにより、レコーディング、送信等のプロセスが可能となる。その後、ＤＶＤレコーダ等が可能となったレコーディングを再生すると、付加された偽の垂直同期パルスまたは信号がきれいな通常の同期信号で置き換えられ、満足して見られるコピーを再生することができるようになる。
【００８５】
図４Ｎは、垂直同期信号が通常配置された典型的なビデオ信号の一例を示す波形であり、（ビデオライン４の始めにある）第１の広い垂直同期パルスはビデオライン２０から１７ビデオラインのところにあり、一般的にはデータ信号が埋め込まれたビデオラインである。
【００８６】
図４Ｏは、垂直同期信号が（例えば、ライン１４の始めに）再配置されたビデオ信号の一例を示す波形であり、（例えば、典型的なビデオライン２０に配置されている）データ信号の読み間違いを生じさせる。垂直同期信号は再配置されているので、第１の広い垂直同期パルスはデータ信号を含むビデオライン２０から６ライン離れているだけである。したがって、コンテンツ制御システム中のリーダまたは検出器回路は、第１の（例えば、再配置された）広い垂直同期パルスから１７ラインのところにあるビデオラインにあるデータ信号を実質的に探すであろう。よって、コンテンツ制御システムはデータ信号を検出し読み出すことに失敗し、コンテンツまたはレコード制御システム中の制御コマンドの変更を表す。
【００８７】
指定されたライン位置のデータ信号の「カウント（count）」または「読み出し」を間違わせるように、広い垂直同期パルスまたは垂直同期信号の少なくとも一部を修正することができる。垂直レート／フレームレート基準信号を変更することにより、間違ったラインを読み出すので、レコードまたはコンテンツ制御システムの制御コマンドが変更される。新しいデータ信号を挿入して、垂直レート／フレームレート信号を修正して、またはしないで制御コマンドを変更できる。例えば、第１及び／または第２の広いパルス（または垂直同期信号の任意の部分）を修正（例えば、削除、減衰、またはシフト）でき、するとすぐに、元のデータの１または２ライン後に新しいデータ信号を、任意的に挿入または付加することができる。このように、任意的に付加された新しいデータ信号が元のデータの替わりに読み取られ、変更された制御コマンドが生成される。新しいデータ信号が追加または挿入されなければ、リーダは元のデータ（例えば、ＣＧＭＳ）の読み取りをスキップし、その替わりにその後にデータとして出てくるビデオラインを読み取る。これにより、間違った読み取りとなり、その結果制御コマンドが変更される。
【００８８】
本発明によるカラーストライププロセスの修正を利用する実施形態  
図５は、先行技術のカラーストライププロセスを利用するコピープロテクションの形式を示す。このカラーストライププロセスは、ビデオフィールドの選択されたラインにおいてカラーバーストの少なくとも一部の位相を修正することによりコピープロテクションを行う。このため、図５には、カラーバーストの斜線部分１４４が示され、この部分は（例えば、位相シフトにより）修正された部分を表し、カラーバーストの修正されていない部分１４６（斜線を引いていない部分）が示され、この部分は実質的に正しいカラーバースト位相を有している。部分的に修正されたカラーバースト１４２は、連続した２つまたは４つのビデオラインにグループ化され、その後に実質的に通常のカラーバースト位相を有するビデオラインが続く。このように、図５に示したようなカラーストライププロセス、または通常のカラーバーストへの修正の他の変形を有するテレビジョンのパターンをコピープロテクションに使用して、最近では本発明のようにコンテンツ制御に使用されている。
【００８９】
より具体的には、図５に示した部分的に修正されたカラーバースト１４２は、上述のカラーストライププロセスを表し、不正にコピーされたレコーディングに対して少なくともいくらかのコピープロテクション効果は発揮するが、支払い問題は小さくなり、テレビジョンセットにおける効果は小さくなる。
【００９０】
図５は、レコードまたはコンテンツ制御システムの修正を識別する方法も示している。コンテンツ制御システムは選択されたビデオラインのカラーバーストを検知し、そのカラーバーストが修正されているか決定する。コンテンツ制御システムは、システムを制御する手段として、カラーストライプが修正されたビデオラインのパターンも決定する。例えば、上記の２ラインパターンは制御コマンド「Ｘ」を意味し、４ラインパターンは制御コマンド「Ｙ」を意味する。
【００９１】
このように、コンテンツ制御システムにより提供される制御コマンド（original  content  command）は、ビデオフィールドの一組の選択されたライン中における修正されたカラーバーストのパターンを変更することにより、変更することができる。例えば、番組素材（program  material）のパターンが、修正されたカラーバーストが連続して２ラインあり、その後に実質的に通常のカラーバーストを有するが８ラインある場合、上記の連続する２ラインの後に修正されたカラーバーストを少なくとももう１ライン加えることにより、制御コマンドを変更できる。
【００９２】
もちろん、この他のパターンを適用してコンテンツ制御システムの制御コマンドを変更することはできる。例えば、少なくとも１ラインの修正カラーバーストを、カラーバーストが修正されたライン数から「減算する」（または加算する）ことができる。一例として、２ラインまたは４ラインのパターンを有するビデオ信号を変更して、それぞれ１ラインまたは３ライン（若しくは３ラインまたは５ライン）のパターンとして、これに対応してコンテンツ制御システムの制御コマンドを変更することができる。
【００９３】
さらに別の例として、カラーストライプ信号検出器またはリーダは、位相が修正された２または４ラインパターンが４サイクル連続するのを探してもよい。位相が修正されたサイクルの数を正しく測定または読み取りでき、及び／または正しいカラーストライプラインパターンを受け取れれば、検出器またはリーダはカラーストライプがあることを示す出力を発生することができる。
【００９４】
カラーストライプリーダがどのように動作するか例示するために、コンテンツ制御信号またはコピープロテクションされた信号が、８サイクルのサブキャリアを有するカラーバーストを有し、各ラインには例えばＲＲＲＲＲＲＲＲまたはＩＩＩＩＲＲＲＲのいずれかのパターンで構成されたカラーバーストが含まれるとする。ここで、Ｒは位相が正しいサイクルであり、Ｉは位相が修正された（例えば、位相が反転すなわち１８０°修正された）サイクルである。
【００９５】
コンテンツ制御システムの制御コマンドを変更するため、または新しいカラーストライプ信号を発生するためには、基準位相と修正位相のサブキャリアのサイクルのシーケンス（sequence）を単に変更するだけでよい。例えば、ＲＲＲＲＩＩＩＩやＲＲＩＩＲＲＩＩやその他の変形をしたシーケンスは、新しいカラーストライプ信号を構成し、及び／またはコンテンツ制御システムにおける制御コマンドの変更となる。一例として、その他の変形としては、いくつかのサブキャリア（subcarrier）を加えるか引くことができ、例えば標準的な８または１０サイクルのシーケンスの替わりに１１または５サイクルのシーケンスを使うことができる。
【００９６】
上述のパターン修正によりその後のコンテンツ制御システムの制御コマンドが変わるが、コピープロテクション効果（の少なくとも一部）は維持または強化されることもある。例えば、カラーストライプのビデオラインを追加したりカラーバーストを修正したりすると、（コンテンツ制御コマンドが変更され、）通常はテレビジョンセットやＶＣＲにおけるコピープロテクション効果は高くなる。
【００９７】
例えば、図５のカラーストライプカラーバーストを用いて、コンテンツ制御システムにより提供される制御コマンドを変更する別の実施形態は、図２の修正回路３８により、カラーストライプバーストエンベロープ（color  stripe  burst  envelope）の少なくとも一部を再配置することである。例えば、カラーバーストエンベロープの選択された斜線を付した（位相シフトされた）部分と斜線を付していない（通常位相の）部分の順序を逆にする。
【００９８】
コンテンツ制御システムにより提供される制御コマンドを変更するさらに別の実施形態は、選択された一組のテレビジョンラインにおいてカラーバーストエンベロープの少なくとも一部を修正または変調することである。変調は、位相、位置、振幅、パルス幅及び／または周波数の変調が含まれる。修正／変調は、水平帰線区間（ＨＢＩ）の一部への信号の付加を含む。かかる修正は、（例えば、コンテンツ制御システムにおけるコマンドを変更したり、コピープロテクション効果を変更したりするように、）ＨＢＩの選択された部分への、選択された位相及び／または振幅のカラーサブキャリアサイクル（または信号または波形）の少なくとも一部の追加または挿入を含む。
【００９９】
例えば、図５Ａ乃至図５Ｋは、本発明（図２）の修正回路３８により、図５のカラーストライプバースト構成等のカラーストライプ信号に適用できる様々な修正を示している。これらの修正により、テレビジョンセットやビデオレコーダ（ＶＣＲ等）における、例えばコピープロテクション効果や支払い効果（payability  effect）等の効果を低減することができる。さらに、これらの修正により、レコードまたはコンテンツ制御システムの制御コマンドや効果を変更することができる。
【０１００】
したがって、図５Ａはカラーストライプ信号（エンベロープ）１４８の位置的シフトを利用する修正カラーバースト１４２ａを示している（例えば、位置的シフトは同期パルス（または同期縁（sync  edge））と、カラーストライプまたは（修正）カラーバースト信号との間の相対的な（位置的）シフトを含む）。例えば、カラーストライプまたは（修正）カラーバースト信号に対して、同期がシフトする。この例では、カラーストライプエンベロープの少なくとも一部のシフトまたは前進により、コピープロテクション信号の効果が低減される。例えば、カラーストライプエンベロープ１４８の一部を前進させ、水平同期パルス８０の一部に侵入させる。カラーストライプエンベロープの少なくとも一部を前進させる理由の１つは、テレビジョンセット、レコーダまたはコンテンツ制御システム（すなわち、準拠装置）が水平同期パルスの後縁の後の所定の時間（selected  time）に、サンプリングしてカラーサブキャリアを探すからである。カラーストライプエンベロープ１４８の少なくとも一部をシフトすることにより、コピープロテクション効果を発揮するために、または正しい若しくは所望の制御コマンドを発生するためにサンプリングしなければならない斜線を引いたエリアが少なくなる。
【０１０１】
図５Ｂはカラーストライプエンベロープ１５２を有する同期パルス幅の遅延１５０を利用する修正カラーバースト１４２ｂを示している。この遅延により、テレビジョンセットまたはレコーダにおけるコピープロテクション効果が低減されるか、またはレコードまたはコンテンツ制御システムの制御コマンドの効果が変更される。遅延した水平同期パルスの長さは、元の水平同期パルスと異なることに留意せよ。すなわち、遅延した水平同期パルスの長さは、所定のものでも、短くなっても、長くなってもよい。レコーダまたはその他の準拠装置は、水平同期パルスの後縁を用いてサンプリングをトリガーしてもよい。位相シフトしたカラーストライプバーストを検知するのに利用できる斜線を付した部分（すなわち、カラーストライプエンベロープ１５２）は短いので、コピープロテクションは低減され、及び／または制御コマンドが変更される。
【０１０２】
図５Ｃは、遅延された広い水平同期パルス１５６を有する、カラーストライププロセスの修正を利用する修正されたカラーバースト１４２ｃを示す。ここで、カラーストライプエンベロープ１５４の少なくとも一部が遅延されている。この修正により、テレビジョンセットまたはレコーダにおいてコピープロテクション信号の効果が低減され、またはレコードまたはコンテンツ制御システムにおいて発生される制御コマンドが変更される。  
図５Ｄは、広い水平同期パルス１５８を利用した修正カラーバースト１４２ｄを示し、カラーストライプ信号１６０は実質的に修正はされていない。広い水平同期パルス１５８により、テレビジョンセットまたはレコーダにおけるコピープロテクション効果が低減され、またはレコードまたはコンテンツ制御システムにおいて発生される制御コマンドが変更される。
【０１０３】
図５Ｅは、修正されたカラーバースト１４２ｅを示す。ここで、カラーストライプエンベロープ１６２の位置がシフトされ、水平同期パルス１６４の後縁の後で修正カラー位相（カラーストライプ）を検出することはほぼできない。例えば、カラーストライプエンベロープ１６２に対応する斜線を付した部分は、バックポーチエリアの外側にあることに留意せよ。修正カラーバーストを検知するためにサンプリングされるのはバックポーチエリアなので、図５Ｅに示した修正により、テレビジョンセットまたはレコーダにおける効果は低減され、レコードまたはコンテンツ制御システムにおいて発生される制御コマンドは変更される。
【０１０４】
図５Ｆは修正カラーバースト１４２ｆを示している。ここでは、水平同期パルス１６６が広げられ、カラーストライプエンベロープ１６８を含み、広げられた水平同期パルスの後縁の後では対応する修正カラーバーストを検出できない。水平同期パルス１６６を広げることにより、バックポーチエリアの少なくとも一部が、例えば、実質的に修正されていない位相のカラーサブキャリアサイクルを含む。このように、広げられた同期パルス１６６により、テレビジョンセットまたはレコーダにおける効果が低減され、またはレコードまたはコンテンツ制御システムにおける制御コマンドが変更される。
【０１０５】
図５Ｇは修正されたカラーバースト１４２ｇを示している。これはカラーストライププロセスが修正された一実施形態のより一般的な例である。修正には、矢印ａ−ｅで示したように、水平同期パルス１７０の一部の位置、幅及び／または振幅の修正が含まれる。さらに、修正には、矢印ｆで示したように、カラーストライプエンベロープ１７２の少なくとも一部のシフトまたは長さの変更が含まれ得る。例えば、図５Ｇ（または図５Ｈ乃至図５Ｋ）において、同期パルスのどの縁（edge）位置を動かしてもよく（例えば、位置及び／またはパルス幅の変更をいかに組み合わせてもよい）、同期チップ（sync  tip）のどの部分のレベルをシフトしてもよい。カラーバーストの斜線を付した（または斜線を付していない）部分のレベルを変更してもよく、斜線を付した（または斜線を付していない）部分の始めと終わり（例えば、時間）を変更してもよい。このように、図５Ｇの波形は、テレビジョンセットまたはレコーダにおけるコピープロテクション効果を低減する方法、またはレコードまたはコンテンツシステムにおける制御コマンドを変更する方法を表している。あるいは、修正にはサブキャリアの少なくとも１つの正のサイクルまたは負のサイクルの長さの変更（例えば、カラーバーストのサイクルの長さの変更）を含み得る。
【０１０６】
図５Ｈは、修正カラーバースト１４２ｈを示している。ここでは、広げられた水平同期パルス１７４がカラーストライプエンベロープの一部に置き換わっている。そのカラーストライプエンベロープの一部は、参照数字１７３で示した部分においてカラーストライプ信号の少なくとも一部を除去または減衰するように消去（blanked  off）されている。これにより、テレビジョンセットまたはレコーダにおけるコピープロテクション効果が低減され、またはレコードまたはコンテンツ制御システムにおける制御コマンドが変更される。同様に、パルス１７４はほぼ通常の同期パルス幅を有するが、位置がシフトされ、例えば、カラーストライプ信号の効果を低減したり、レコードまたはコンテンツ制御システムにおけるコマンドを変更したりするように、カラーストライプカラーバーストの一部が消去されている。留意すべきこととして、同期パルスを広げると、その同期パルスは間違ったカラーバースト位相の１つ以上のサイクルを少なくとも部分的に消去または減衰し、コンテンツ制御システムにおけるコマンドを変化させ、またはコピープロテクション信号の効果を低減させる。
【０１０７】
本発明のさらに別の実施形態では、ビデオ信号またはカラーストライプ信号の少なくとも一部を別の新しいカラーストライププロセスで置換でき、一般的には、準拠装置においてその後に発生される制御コマンドを変更し、またはスタンドアロン（stand  alone）のカラーストライプコピープロテクションプロセスとして機能する。
【０１０８】
このため、ＨＢＩ（またはその近傍）における様々な修正により、カラーストライプ信号は別のものとなり、再生はしやすいものになっても、コピープロテクションの効果が予想以上に高くなることもある。より適切には、別のカラーストライププロセスを使用して、準拠装置すなわちコンテンツ制御システムにおける制御コマンドを変更できる。
【０１０９】
例えば、図５Ｉ、５Ｊまたは５Ｋは、同期パルス及び／または狭くした同期パルスの後のカラーバーストエンベロープの選択的修正を示している。ここで、カラーバーストエンベロープ１４２ｉ、ｊまたはｋが修正されているので、テレビジョンセットやディスプレイにおける支払い問題（payability  problem）が低減され、一方レコーダにおけるコピープロテクション効果もある。このように、図５Ｉ（または、図５Ｊ若しくは図５Ｋ）の修正カラーバーストエンベロープ及び／または修正同期例を、コピープロテクションプロセス（例えば、ビデオ信号の修正やコピープロテクション信号の修正によるもの）や、コンテンツ制御システムにおけるコマンドの修正方法として使用できる。
【０１１０】
本発明の一実施形態（図５Ｉ）では、選択された水平同期パルス１７１の長さが短くされる（例えば、通常の４．７μｓｅｃから３．７μｓｅｃ）。約１．４μｓｅｃの通常位相（例えば、０°）サブキャリア信号を狭くした同期パルスの後縁の後に配置する。次に、所定位相サブキャリア信号（例えば９０°、１８０°、またはその他の位相角）の約１．２μｓｅｃのセグメント１７３を通常位相の１．４μｓｅｃの後に設ける。所定位相の１．２μｓｅｃの後に、通常位相の３．３μｓｅｃのサブキャリアを付加または挿入する。結果として得られるカラーストライプ信号（カラーバーストカラーストライプスプリットバーストエンベロープまたは信号とも呼ぶ）を選択されたラインまたは選択されたラインパターンに配置する。結果として得られる信号により、コピープロテクションプロセスの支払いアーティファクト（payability  artifacts）を低減し、少なくとも何らかのコピープロテクション効果を与える。また、結果として得られる信号は準拠装置またはレコードまたはコンテンツ制御システムにより間違って読み取られる。そのコンテンツ制御システムは、例えば、変更された制御コマンドを発生し、それによりレコード可能及び／または支払い可能なコピーを作ることができる。
【０１１１】
留意すべきことは、図５Ｉの例によりコンテンツ制御環境においてレコード可能なコピーが作れるが、コピープロテクション信号を合成するために図５Ｉを使用することもできることである。例えば、ＶＣＲやレコーダは、選択された帰線区間に修正がなされたビデオ信号（同期パルスが狭くされたり、サブキャリアの通常位相サイクルと非通常位相サイクルとがセグメント化されカラーバースト信号が形成されたりしていてもよい）を受信すると、テレビまたはディスプレイにおけるコピープロテクション効果を低減するために使用でき、またはＶＣＲやレコーダにおいてコピープロテクション効果を生じさせるために使用できる。
【０１１２】
さらに別の実施形態では、図５Ｊと図５Ｋに示したが、１つ以上のサブキャリア位相を有するカラーバーストの複数のセグメントを、選択されたビデオラインのＨＢＩ（例えば、修正されたバーストエンベロープ１４２ｊと１４２ｋ）に挿入する。しかし、セグメント間には振幅の違いがあってもよい。例えば、１８０°または非通常位相のサブキャリアを有するセグメントの振幅を他のセグメント（通常位相のサブキャリアセグメント等）と比較して低減する。非通常位相のサブキャリアを有する振幅を低減したセグメントは、テレビジョンセットにおいて再生性（playability）がよく、再生時に不正コピーをすると（例えば、レコード、ＶＣＲまたは表示装置において）散発性のカラー歪みを生じる。このフリッカリング（flickering）による散発性のカラー歪みによるアーティファクト（artifact）は、不正コピーの再生時に静的なカラーエラーを生じる標準的なカラーストライププロセスにより生じるものよりも煩わしい。すなわち、フリッカリングによりＶＣＲのレコード及び再生プロセスにおけるコピープロテクションはより有効なものとなる。さらに、好ましくはディスプレイ上では分からないが、振幅を低減するセグメントをゆっくりと変調（例えば、振幅及び／またはパルス幅）することにより、より大きな有効性を達成でき、より煩わしいやり方で散発的カラー歪みが生じ、またはより多くのＶＣＲやレコーダで散発的なカラー歪みが生じる。
【０１１３】
後者の実施形態の例には、図５Ｊの修正カラーバースト１４２ｊが含まれる。通常位相サブキャリアの約３００ｍｖｐ−ｐのセグメントが、水平同期８０の後縁の後に１μｓｅｃだけ設けられ、それに続いて約１３２ｍｖから１６０ｍｖｐ−ｐの非通常位相のサブキャリアの１．６μｓｅｃのセグメント１７５が設けられ、次に約３００ｍｖｐ−ｐの通常位相のサブキャリアの３．５５μｓｅｃのセグメントが設けられる。もちろん、サブキャリア（例えば、カラーバースト）の振幅レベルはこれ以外でもよい。
【０１１４】
図５Ｋの実施形態において、修正されたカラーバースト１４２ｋは、水平同期８０の後縁の後に約１．６μｓｅｃの非通常位相サブキャリアの約１１４ｍｖｐ−ｐのセグメント１７７を含み、その次に３００ｍｖｐ−ｐの約４．５μｓｅｃの通常位相サブキャリアがある。
【０１１５】
言うまでもなく、前記の実施形態において、別の時間的長さ、位相角セグメントの順序、セグメントの数、位相角、及び／または振幅を使用してもよい。さらに、例示したいずれの実施形態においても、位相、振幅、及び／またはパルス幅変調は任意的である。このように、上記の段落で説明し、または図５Ｉ、５Ｊまたは５Ｋに示したように、コピープロテクション信号を合成して、例えば、静的または動的な方法でレコーディングにおいてカラー歪みを発生してもよいし、コピープロテクション信号を使ってコンテンツまたはレコード制御システムにおいて制御コマンドを変更してもよい。
【０１１６】
同期パルス１７０ａ−ｅを有する図５Ｇに示した修正は、図５Ｉ、５Ｊ、５Ｋの同期パルス８０や１７１、及び／またはカラーストライプやカラーバーストエンベロープ１７３、１４２ｉ、１７５、１４２ｊ、１７７及び１４２ｋに適用可能である。例えば、幅、いずれかの縁（edge）の位置、及び振幅の変更による（図５Ｇに示したような）同期の修正は、図５Ｉ乃至図５Ｋの波形のどの部分またはセグメントにも適用してもよい。このように、エンベロープ１７３、１４２ｉ、１７５、１４２ｊ、１７７または１４２ｋにより示されるどのカラーサブキャリアセグメントも、セグメントのいずれかの縁（edge）の位置、幅、振幅、及び／または位相が修正されている。
【０１１７】
他の例では、図５Ｇ、５Ｉ、５Ｊまたは５Ｋの（幅または振幅が変化し得る）斜線を付したセグメントに示した位相は、位相交代ラインタイプの変調（phase  alternate  line  type  of  modulation）により時間的に変化してもよい。位相は時間の関数として変化する。例えば、位相は、位相シフトが時間的に増大した後、次の時間には位相シフトが減少する「スイング（swinging）」状に変化してもよい。例として、斜線を付した部分のどれかから始めて、それに続く各ラインで：＋１、−１、＋２、−２．．．＋８９、−８９．．．＋１７９、−１７９．．．＋１６０、−１６０．．．＋９０、−９０．．．＋２、−２、＋１、−１となるとする。（同期パルス後のサブキャリアの少なくとも１つのサイクルで）位相値が大きくなったり小さくなったりするこの「スイング」状の位相シフトは、不正コピーにおいて動的にカラー損失（color  loss）を生じることが観察されている。このように、上記の例は、バーストがスイングするので、またはセグメントまたは同期の任意部分のパラメータが修正されているので、コピープロテクション信号を合成するのに使用でき、コンテンツまたはレコード制御を有するまたは有さないビデオ信号に適用されて、コンテンツ制御システムにおいて生成される制御コマンドを変更できる。
【０１１８】
留意すべきことは、非通常位相信号には非標準的なサブキャリア周波数信号が含まれることである。例えば、非通常位相を示す図５Ａ乃至図５Ｋに示した例は、非標準サブキャリア周波数の少なくとも１つのサイクルを有している。例えば、サブキャリアサイクルの非標準周波数または長さ（duration）を通常位相部分または非通常位相部分、または通常位相部分と非通常位相部分の組合せで置き換えてもよく、ＨＢＩを含む水平ブランキング区間の一部またはアクティブビデオラインの初めか終わりの部分に配置してもよい。一般的には、ビデオ信号の一部に挿入または付加された非標準サブキャリア周波数または少なくとも１サイクルの期間（duration）を使って、コンテンツまたはレコード制御システムのコマンドを変更し、すなわちコピープロテクション信号として使用する。例えば、非標準周波数サブキャリアを、ＨＢＩの通常部分を下げることなく、ＨＢＩに付加する。
【０１１９】
図５Ａ乃至図５Ｋにおいて示した様々なカラーストライプ信号の構成は例として示しただけである。この他の変形をしたカラーストライプ信号を使用しても同様の結果が得られる。例えば、完全またはほとんど斜線を付された（すなわち、位相が大幅にシフトされた）エンベロープを有するカラーストライプ信号は、前述の説明のように、図５Ａ乃至図５Ｋに例示された修正により影響を受ける。
【０１２０】
言うまでもなく、選択されたラインのカラーバースト／カラーストライプエンベロープの少なくとも一部の振幅を変更して、レコードまたはコンテンツ制御システムにおける読み取りを間違わせてもよい。すると、間違った読み取りにより、レコードまたはコンテンツ制御システムにおける制御コマンドが変化する。例えば、振幅を変更する場合、バースト検出器は、普通、検出するための最低振幅を必要とする。場合によっては、通常位相サブキャリアバースト信号とカラーストライプ信号との間で相対的な振幅はほぼ同じである。例えば、１ボルトのビデオ信号の場合、通常バースト信号とカラーストライプ信号はピーク・ツー・ピークで約３００ｍｖである。カラーストライプ信号またはカラーバースト信号の一部が減衰されているとき、レコードまたはコンテンツ制御システムがカラーストライプ信号を正しく検知せず、制御コマンドが変更される可能性がある。
【０１２１】
また、留意すべきこととして、スプリットカラーバーストカラーストライプエンベロープの少なくとも一部を低減することにより、レコーディングにおいてコピープロテクション効果を発揮しつつ、カラーストライプコピープロテクションプロセスの採算性（payability）が高くなる。また、レコーディングを再生する時にカラー再生が変動するので、このコピープロテクション効果は予想外に効果的である。このカラー再生の変動は、ＶＣＲやテレビジョンセットのカラー回路がビデオ（番組）信号の一部で十分な振幅を有するカラーバーストを受信できないために発生する。
【０１２２】
このように、カラーバーストカラーストライプスプリットエンベロープ（color  burst  color  stripe  split  envelope）（信号）の振幅、またはカラーバーストの振幅（の少なくとも一部）を変更（例えば、低減または変更）するプロセスは、コピープロテクションプロセスの少なくとも一部として使用できる。ＨＢＩ中のカラーストライプエンベロープが、位相が異なる少なくとも２つの部分を有するカラーストライプシステムの例において、１つか２つの位相の位相シフトにより、レコードまたはコンテンツ制御システムにおける読み取りを間違わせることができる。例えば、両方の位相に単に（例えば、０°から３６０°の範囲において）一定の位相シフトをするだけで、間違った読み取りをさせることができる。
【０１２３】
さらに別の例では、８サイクルのカラーバーストカラーストライプスプリットバースト（color  burst  color  stripe  split  burst）を利用する。ここで、最初の４サイクルの位相は１８０°であり、次の４サイクルの位相は０°である。９０°のシフトにより、最初の４サイクルの位相は９０°となり、次の４サイクルの位相は２７０°となる。このシフトは通常の範囲外であり、レコードまたはコンテンツ制御リーダに９０°と２７０°の最初のサイクルと次のサイクルを１８０°と０°であると解釈させる。このように、カラーバーストカラーストライプスプリットバーストの位相の正しくない読み取りにより、制御コマンドが変更される。留意すべきことは、このシフトは前述のように結果としてカラーストライプエンベロープを修正するので、コピープロテクション信号として使用できることである。例えば、選択されたラインで非標準サブキャリア位相の２つ以上のセグメントを有するカラーストライプエンベロープは、コピープロテクション信号またはコンテンツまたはレコード制御システムにおける制御コマンドを変更する方法として使用できる。
【０１２４】
上記の通り、図５は先行技術のカラーストライププロセスを示している。図には示していないが、部分１４４、１４６または通常カラーバーストエンベロープの任意の部分の振幅を修正して、後で発生される制御コマンドを変更することができる。かかる修正は新しいカラーストライププロセスでもある。このように、カラーバーストエンベロープを選択された区間の位相及び／または振幅の変更で置き換えることにより、新しいカラーストライププロセスを生成できる。例えば、部分１４４（または１４２若しくは１４６）の少なくとも一部の振幅を低減（または変更）して、新しいカラーストライププロセスを形成し、またはコンテンツ制御システムにおけるその後の制御コマンドを変更する。変更する理由の１つは、正しい検出を行うために、コンテンツ制御リーダが最低（または標準）サブキャリア振幅電圧を必要とするからである。
【０１２５】
言うまでもなく、カラーバーストエンベロープまたは（通常位相または非通常位相の）カラーサブキャリアサイクルのどの部分へのかかる振幅の修正も、図５Ｊと図５Ｋに関して説明したように、図５Ａ乃至図５Ｈに適用できる。
【０１２６】
また、図５及び図５Ａ乃至図５Ｋにおいて、振幅の変更はエネルギーの変更として定義（defined）され得る。例えば、サブキャリアサイクルのデューティまたは伝導サイクル（conduction  cycle）の変化は、例えば、正または負であり、平均エネルギーの変化となる。例えば、サブキャリアサイクルの一部（例えば、正または負の半サイクル）を狭くしたり広くしたりする（例えば、形状を変化させる）と、エネルギーが変化する。留意すべきことは、コンテンツ制御システムにおけるコマンドを変更し、またはコピープロテクション信号の効果を修正し、またはコピープロテクション信号の少なくとも一部を合成（synthesizing）するために、参照数字９０、１１６、１８４、１０２、９８、１００及び／または１０４で示した同期修正を、図５乃至図５Ｋと任意のやり方で組み合わせることである。
【０１２７】
本発明によるデータ信号修正の実施形態
図６は、コンテンツ制御システムにおいて、ＣＧＭＳ等のコンテンツ制御信号として使用できる先行技術のデータ信号を示す波形である。図６の波形は、水平同期パルス８０と、スタートビット１８０と、一組のデータ１８２とを含む。
【０１２８】
図６Ａは、図６に示したようにデータ信号１８２を有する本発明の一実施形態を示す波形である。ここで、本発明の修正回路３８により、水平同期パルス１８４またはスタートビット信号１８０′または１８０′′に変更がなされる。この変更は後でコンテンツ制御システムに影響し、すなわち後で生成される制御コマンドを変更する。例えば、図６のスタートビットが、１８０′及び／または１８０′′に示したように図６Ａに点線で示したように再配置される。また、水平同期パルス１８４のどの部分の幅、位置、及び／または振幅を変更することもできる（矢印ａ−ｄ参照）。留意すべきことは、同期チップ（sync  tip）及び／またはバックポーチサンプルを使用してスタートビット及び／またはデータビットのスライスポイント（slice  point）を決定することである。このように、選択された一組のライン中の同期またはバックポーチ部分の少なくとも一部を変更すると、間違ったスライスポイントを生成でき、後でリーダ回路にデータを間違って読み取らせることができる。その一組の選択されたラインは、例えば、データ信号（ビデオライン）まで、及び／またはそれを含む選択されたビデオラインを含む。また、スタートビットまたはクロック基準信号の一部の振幅を変えることにより、データが間違って読み出され、レコードまたはコンテンツ制御システムの制御コマンドが変更される。
【０１２９】
図６Ａは、水平同期パルス１８４の変更によりデータ信号が間違って読み取られることを示している。前述のように、水平同期信号１８４のどの部分も、位置、幅または振幅が修正されている。あるいは、同期信号１８４を前掲の図４Ｋに示した水平同期信号１２１と置換して、コンテンツ制御システムにおける制御コマンドに同様の効果を与える。あるいは、同期パルス８０、１８４（または図６Ｂの１８４′）の前後に少なくとも１つの負のパルスを付加して、コマンドを変更することができる。データラインに伴う同期パルスの近傍に少なくとも１つの負の信号（negative  going  signal）を付加または挿入することにより、コンテンツ制御システムの読み間違いを誘発することができる。
【０１３０】
図６Ｂは、サイクルパケット（packet  of  cycles）を利用して基準（クロック）信号１８６を供給する先行技術のデータ信号を示す波形である。この基準信号によりデータリーダ回路により一組のデータビット１８８を読み取ることができる。
【０１３１】
図６Ｃは本発明の一実施形態を示す波形であり、ここで、図６Ｂの基準クロック信号１８６を図２の修正回路３８により修正し、位相シフトされた基準クロック信号１８６′を供給する。さらに、図４Ｂ、４Ｉ、５Ｇ等にも示したように、水平同期パルス１８４を修正して、データビット１８８または１８２の読み取りに影響を与えることができる。基準クロック信号１８６′のどの部分を位相または位置シフト、レベルシフト、及び／または振幅変更してデータビットの読み出しに影響を与えてもよい。また、データビット信号１８８または１８２は、位相シフトまたはレベルシフトされた部分を有し、それによりコンテンツ制御システムにおけるデータの読み出しに影響をあたえてもよい。
【０１３２】
図６Ｄは本発明の一実施形態を示す波形であり、基準クロック信号の少なくとも一部において周波数（または期間（duration））を変更することにより、図６Ｂの基準クロック信号１８６を修正し、修正された基準クロック信号１８６′′を与える。修正によりデータビットのクロックを正しくなくし（improper  claocking）、データ信号１８８′の読み出しを間違ったものにし、または変更する。図６Ｄ中のパルス１８６′′と１８８′で示したように、振幅、幅、周波数等が修正される。前述したように、水平同期パルス１８４を位置、レベル、及び／または縁（edge）シフトして、データビット１８８′の読み出しを間違わせる。さらに、一組のデータビット１８８′の任意の部分の振幅、周波数、間隔、期間を変更して、コンテンツ制御システムの制御コマンドに影響を与える（変更する）こともできる。
【０１３３】
図６Ａ乃至図６Ｄに示した波形の場合、図２に示した本発明の修正回路３８等により、水平同期パルス、スタートビット、基準クロック、及び／またはデータビットのいずれかの部分を変調すると、コンテンツ制御システムの出力に影響を与えることができる。例えば、後で生成される制御コマンドを変更することができる。かかる変調または修正には、振幅、位相、位置、及び／または周波数の変更が含まれる。変調または修正には、選択されたラインの選択された画素にレベルシフト電圧（正または負の電圧等）を加えることが含まれる。例えば、レベルシフト電圧をデータテレビジョンラインまたはバックポーチ／ＨＢＩ領域の少なくとも一部に加えることができる。修正には、テレビジョンまたはデータ信号のいずれかの部分に信号を挿入することを含む。
【０１３４】
さらに、データ信号ビデオラインの前、またはそれを含むラインのブランキング（blanking）部分に信号を加えることにより、テレビジョン信号に組み込まれたデータの読み出しを「混乱」させることも可能である。例えば、バックポーチエリアに負及び／または正の信号を挿入または付加すると、データ信号の正しい「スライス（slice）」閾値を決定するために必要なブランキングレベルを正しくサンプリングできない。同様に、選択された同期の振幅の一部を修正すると、基準点を間違うので、データ信号の読み出しのために発生される「スライス」電圧が正しくなくなる。この段落で説明したレベルを上げたバックポーチパルスや正のパルス等の修正方法は、コンテンツ制御信号にも適用でき、コンテンツまたはレコード制御システムにおいて制御コマンドを変化させる。留意すべきことは、図２のブロック３８は番組及び／またはコンテンツ制御信号の少なくとも一部を修正するためのコムフィルタ、バンドパスフィルタ、バンドリジェクト（band  reject）フィルタ、ローパスフィルタ、ハイパスフィルタ等のフィルタ機能を含むことである。コンテンツ制御信号を含む信号の選択された部分をフィルタすることにより、コマンドが修正される。
【０１３５】
本発明の装置の実施形態
図７は制御信号２００を出力するタイミング回路を示すブロック図である。この制御信号は１つ以上の選択されたビデオラインの選択された画素を切り換えるか、それに信号を付加するために使用される。制御信号２００は、１つ以上の選択されたビデオラインの選択された画素をブランキング（blanking）するためにも使用される。このため、入力２０２のビデオ信号を同期分離器回路２０４及び／またはカラーバースト検出器回路２０６に供給する。どちらの回路の出力もタイミング回路２０８に結合され、このタイミング回路はビデオ信号の少なくとも（特定の）一部と同時の信号を発生する。図７の出力は信号２００であり、すなわち制御信号（ｎ）である。ここでｎは以下の図面で使用される制御信号（例えば、制御信号１、制御信号２等）の番号を表す。
【０１３６】
明らかに、図８乃至図１６に示した様々な回路は、図２に示した修正回路３８により表される本発明の様々な実施形態の例である。各図に示した回路により、入力２１０により供給される番組信号が修正（modification）または変更（alteration）される。これらの修正または変更は、図４Ａ乃至図６Ｄに示した様々な波形で示した修正や変更に対応する。さらに、入力信号は図８乃至図１６において番組信号と表示されているが、言うまでもなく、入力２１０の信号は、コンテンツ制御信号、コピープロテクション信号、またはコピープロテクション信号の一部を含むデータ信号、オーディオ信号、またはビデオ信号を含んでいる。
【０１３７】
図８は本発明の一実施形態を示すブロック図である。ここでは、装置が、カラーバーストエンベロープの選択された部分において、入力２１０を介して供給された番組（ビデオ）信号のカラーバースト信号またはカラーストライプバースト信号の位相が変更する。このため、ビデオ信号は位相シフタ及び／または振幅修正器２１４に送られ、その出力がスイッチ２１２の入力に送られる。スイッチ２１２のもう一方の入力では番組信号を受け取る。この番組信号はカラーバーストエンベロープ構成の形でコンテンツ制御信号を含んでいる。入力２００の制御信号１が、図７から、スイッチ２１２に供給される。制御信号１に応答してスイッチ２１２を切り換えることにより、番組信号中のカラーバーストエンベロープの少なくとも一部の位相及び／または振幅が位相シフタ及び／または振幅修正器２１４により修正される。スイッチ２１２は、修正されたコンテンツ制御信号を有する番組信号を出力信号２１６として出力する。
【０１３８】
一例として、カラーストライプ信号は２ラインパターンまたは４ラインパターンを有し、図８の回路を使用して、例えば、１ラインパターンまたは３ラインパターン、若しくは３ラインパターンまたは５ラインパターンを作る。パターンを変更する結果として、特定のカラーストライプラインパターンに依存するコンテンツ制御システムにより発生される制御コマンドは変化する。このように、図８の回路を使用して、カラーストライプ信号のライン上の位置を再分配し、それによりカラーストライプ検出器が正しいカラーストライプパターンを間違って検出する。これにより、コンテンツ制御システムで追って（subsequently）発生される制御コマンドに検出可能な変更を加えられる。位相シフタは、カラーストライプ信号の選択された部分または実質的に全部を位相シフトさせる。実際の位相シフトは０°から３６０°の範囲である。結果的に生じる位相シフトはコピープロテクション効果（または低減されたコピープロテクション効果）を有し、一方でレコードまたはコンテンツ制御システムにおける制御コマンドを変化させる。
【０１３９】
図８に示した装置は、カラーストライプエンベロープの位相変化を再配置することもできる。一例は、位相が変更された部分の位置を逆にすることである。例えば、エンベロープの第１の部分のカラーストライプ位相が例えば１８０°であり、それに続く第２の部分が例えば０°の通常位相を有するとき、図８の装置は位相の順序を逆にして、第１の部分の位相が０°であり、第２の部分の位相が１８０°であるようにする。
【０１４０】
コピープロテクションに関する効果は少ないか、無い。しかしレコードまたはコンテンツ制御に関する効果は大きく、検出可能である。説明のため、いくつかのカラーエンベロープ位相検出器においては、カラーストライプバーストとしてサイクルを読むために、水平同期パルスの後に最低３サイクル以上のバーストが必要である。カラーストライプ位相（例えば、１８０°）の位置を通常またはその他の位相に変えることにより、カラーストライプ検出器が、第１の部分の位相が０°（またはその他の位相）であり、カラーストライプ信号は無いとする。もちろん、カラーバースト位置とカラーストライプバースト位置のその他の組合せを使用することもできる。
【０１４１】
図８の装置を使用して、少なくとも１つのカラーストライプバーストのライン割り当て（location  line  assignment）を変更してもよい。結果として、カラーストライプリーダまたは検出器はカラーストライプバースト（パターン）の正しいシーケンスまたは位置を読むことができず、レコードまたはコンテンツ制御システムにおけるその後の（subsequent）制御コマンドを変更する。一例として、カラーストライプパターンのシーケンスを変更すると、テレビジョンまたはＶＣＲにおけるコピープロテクション効果が高くなり、一方レコード制御環境におけるコピーが可能となる。かかる変更は、例えば、元の信号におけるバースト位相変調を含むライン数の増加を伴う。
【０１４２】
一方、カラーバーストラインパターンを再配分（redistributing）すると、レコードまたはコンテンツ制御システムの制御コマンドが変化し、一方テレビジョンまたはＶＣＲ／レコーダにおけるコピープロテクション効果が低減する。例えば、４ラインまたは２ラインのカラーバースト信号を再配分して１ラインパターンを形成することができる。例えば、連続する２ラインのカラーストライプと、例えばそれに続く８ラインの通常カラーバーストラインとがあると、再配分（redistribution）により、１ラインのカラーストライプラインとそれに続く４ラインの通常カラーバーストラインにラインパターンが変更される。この修正をしても１０ラインごとに２ラインのカラーストライプがある。
【０１４３】
一般的に、図８に示した装置または方法が示しているのは、選択したライン中のカラーバーストエンベロープのカラーストライププロセスを有さない選択された一部に、位相や振幅の変更を加え、レコードまたはコンテンツ制御システムの制御コマンドを後で変更（subsequent  change）するようにすることである。
【０１４４】
あるいは、一般的に、図８はエンベロープの選択された部分中の選択されたカラーストライプバーストエンベロープの位相（及び／または振幅）を変更する装置または方法を示している。
【０１４５】
図９は、番組（ビデオ）信号のある一部をブランキング、付加、挿入、または置換し、以下のいずれかのプロセスを実行する本発明の実施形態を示している：
ａ）バーストエンベロープの少なくとも一部の削除及び／または前進によるカラーストライププロセスの変更。それぞれ、例えば、図５Ｃ及び図５Ａの波形の生成である。カラーストライプ信号のライン位置、ロケーション（location）、またはラインパターンを変更する。
ｂ）水平及び／または垂直同期信号位置の変更。例えば、図５Ａまたは図５Ｇ、図４Ｆまたは図４Ｌ、図４Ｍまたは図４Ｏの波形の生成である。あるいは、水平同期パルス幅を変更する。例えば、図５Ｄ、図５Ｆ、図５Ｇ、図５Ｂ（点線部）、または図５Ｈの波形を参照。さらに、同期パルスを修正する。例えば、図４の波形を参照。ここでは、水平同期パルスが減衰または削除されている。または、図４Ｂ（同期パルス９０）、図４Ｃ（同期部分９６）、図４Ｄ（同期部分１０２、１００、または１０４）、及び／または図４Ｉ（同期パルス１１６）を参照。ここでは、水平同期パルスの少なくとも一部をその位置、レベル、幅、縁（edge）等を変更して修正している。留意すべきことは、垂直同期信号の修正は位置及び／またはレベルのシフト、幅の変更等であってもよいことである。
ｃ）少なくとも十分な数の疑似同期パルス及び／またはＡＧＣパルスの位置及び／または繰り返しレートの変更。十分な数の疑似同期パルス（及び／またはＡＧＣパルス）の幅を変更してもよく、この変更を幅を広げること及び／または狭めることと組み合わせてもよいのとに留意せよ。また、疑似同期及び／またはＡＧＣパルスのどの部分をレベルシフトしてもよい。これらの修正は図４Ｅと図４Ｈに少なくとも部分的に示されている。
ｄ）少なくともバックポーチパルス、またはＨＢＩ中のパルス若しくは信号の位置の変更。変更は進めることでも遅らせることでもよい。また、バックポーチパルスのパターン、分布、または数を変更してもよい。よって、バックポーチパルスの位置は変わり得る。別の例では、バックポーチパルスを追加して、例えばレコードまたはコンテンツ制御システムにおける制御コマンドを変更できるが、ＶＣＲまたはテレビジョンセットにおけるコピープロテクション効果は維持または強化される。一組のバックポーチパルスの一部またはバックポーチの一部をレベルシフトしてもよいことに留意せよ。
【０１４６】
前述の実施形態は、このように、少なくともレコードまたはコンテンツ制御システムにおいて後で生成される制御コマンドを変更する、本発明の様々な方法を示している。
【０１４７】
具体的には、図９は図４乃至図６Ｄに示した様々なプロセスを実行するための様々な装置を示している。このため、ビデオ信号は複数の回路に供給される。その回路は、カラーストライプジェネレータ２２０、同期リジェネレータ２２２、疑似同期ジェネレータ２２４、バックポーチパルス回路２２６、ブランキングジェネレータ２２８、及びスイッチ回路２３０の１つの入力である。
【０１４８】
（例えば、ブランキング）ジェネレータ２２８は、スイッチ回路２３０の制御入力に、ビデオ信号の修正部分を示すタイミング信号を供給する。カラーストライプジェネレータ２２０は、カラーバースト信号を修正し（または修正されたカラーバースト信号を発生し）、その結果得られる修正されたカラーストライプバースト信号（例えば、カラーストライプ信号）を加算（summing）回路２３４に供給する。同期リジェネレータ２２２は、通常の（水平）同期パルスを変形したものを加算回路２３４の第２の入力に供給する。疑似同期ジェネレータ２２４は、自動利得制御（ＡＧＣ）は計ジェネレータ回路２３２に動作可能に結合している。これにより、ジェネレータ２２４と回路２３２は、疑似同期パルス及び／またはＡＧＣパルスの選択された変化形を合計回路２３４の他の入力に供給する。最後に、バックポーチパルス回路２２６は、加算回路２３４のさらに別の入力にバックポーチの変化形（selected  variation）を供給する。
【０１４９】
スイッチ回路２３０の第２の入力は、信号源Ｖｇｅｎに結合され、回路２３０の出力は加算回路２３４の他の入力に供給される。したがって、ブランキングジェネレータ２２８からのタイミング信号に応答して、ビデオ信号の選択されたビデオラインの選択された画素が信号源ＶｇｅｎからのＶｇｅｎ信号でブランキング、置換、または付加されて、スイッチ回路２３０により供給される。このように、加算回路２３４の出力は、回路２２０−２３２からの選択された信号またはその組合せが、入力２１０のビデオ信号に付加または挿入されたものである。出力２３６に結果として得られる出力信号を操作して、レコードまたはコンテンツ制御システムを変更する。
【０１５０】
図９の回路により供給される信号の例において、カラーバーストまたはその修正（例えば、カラーバーストカラーストライプスプリットバーストを含むカラーストライププロセス）が始まる前に長い「ブリーズウェイ（breezeway）」があるように、選択された水平同期パルスを前進させる。レコードまたはコンテンツ制御システムは、この前進された水平同期修正の後縁（taailing  edge）を使用して、修正されたカラーストライプバースト位相を検知する。選択された水平同期を進めると、水平同期パルスのすぐ後に、サブキャリアやカラーバーストエンベロープがない期間（例えば、長い期間）を設けることができる。結果として、十分な数の修正されたカラーバーストサイクルが検知されず、レコードまたはコンテンツ制御システムにおけるその後の制御コマンドが変更される（検出可能となる）。
【０１５１】
上記段落に説明した方法は、図９の装置により実施でき、選択された水平パルスが同期リジェネレータ２２２により進められた同期パルスと置換される。同期パルスを進めることには、後縁を進めることが含まれる（例えば、同期パルスの幅を狭くして、後縁の幅を狭めるたり切り詰めたりする）。また、この段落で説明した方法及び／または装置を使用して、カラーバースト位相修正、またはその一部の位相が修正されたカラーバースト（すなわち、カラーストライプバースト部分）を利用して、少なくともコピープロテクション信号の効果を修正してもよい。図５Ｂ乃至図５Ｇの修正を参照。
【０１５２】
他の例では、図９のスイッチ回路２３０と電圧源Ｖｇｅｎは、ビデオ信号の一部を電圧信号源Ｖｇｅｎからの信号で置換またはその信号を付加する方法を示している（例えば、入力２１０から加算回路２３４への点線を参照）。スイッチ回路２３０は、ブランキングジェネレータ２２８からの選択されたタイミング信号または図７に示された制御信号に応答して、ビデオ信号を修正する置換または付加機能を提供する。例えば、選択されたビデオラインにおいて、バックポーチ領域の一部を、正または負の電圧またはブランキング電圧等の信号で置き換えたり、その信号を付加したりする。
【０１５３】
本発明のさらに他の例は、選択された水平同期パルスの幅を狭くする（例えば、実質的にすべての水平同期パルスの幅を狭くする）ことである。これにより、幅を狭くした水平同期パルスの幅が疑似同期パルスの期間と同様にする。この幅を狭くする例により、コンテンツまたはレコード制御リーダは疑似同期パルスの前の水平同期パルスを読み損ない、制御コマンドが変化する。また、狭くしたパルスが後縁を「前進」したものであるとき、狭くした同期または水平同期パルスの後にサブキャリア信号を挿入することもできる。カラーストライプ検出器は、サブキャリア信号が付加されているため、同期パルスを間違って検出し、制御コマンドが変化する。狭められた（水平）同期パルスが「ブランク（blanked）」にされ、すなわちその後縁の後にサブキャリア信号が無いとき、カラーストライプ検出器は位相が正しいサブキャリア信号を検出しないので、この時も制御コマンドが変更される。
【０１５４】
図１０は、加算アンプ２４０の一方の入力に入力２１０を介して供給されたビデオ信号の一部に、選択された信号を付加する、本発明の装置または方法を示している。電圧源Ｖｇｅｎ２は、ゲーティングスイッチ２４２を介してアンプ２４０の第２の入力に動作可能に結合している。電圧源Ｖｇｅｎ２とゲーティングスイッチ２４２は、タイミング信号（制御信号２）に応答して、選択されたラインの選択された画素において、信号を供給する。その信号は加算アンプ２４０によりビデオ入力信号に加算される。例えば、電圧源Ｖｇｅｎ２からの信号は、バックポーチパルス、疑似同期及び／またはＡＧＣ信号、同期パルス、またはデータ信号への干渉信号（interference  signal）として機能する。干渉信号は、レコードまたはコンテンツ制御システムの制御コマンドを変化させる。電圧源Ｖｇｅｎ２は、ビデオ信号の一部に付加されたレベルシフト信号電圧として作用する。
【０１５５】
図１１は、ビデオ信号の第１の部分を電圧源Ｖｇｅｎ３から供給された電圧信号で置き換え、ビデオ信号の第２の部分を選択された第２の信号で置き換える装置と方法を示す、本発明の一実施形態である。このため、ビデオ信号はスイッチ回路２５０に供給される。そのスイッチ回路２５０の第２の入力は電圧源Ｖｇｅｎ３に結合している。スイッチ回路２５０の出力はスイッチ回路２５２に供給される。そのスイッチ回路２５２の第２の入力は信号源２５４に結合している。スイッチ回路２５０と２５２はそれぞれタイミング信号、制御（信号）３と制御（信号）４により制御されている。本発明によると、第１と第２の部分は、ビデオ信号の少なくとも位置または画素が共通である。例えば、ビデオ信号の第１の部分は、選択されたビデオラインのバックポーチ領域の一部に、電圧源Ｖｇｅｎ３からの信号を挿入することにより変更される。（Ｖｇｅｎ３により既存の同期信号の前に同期パルスまたは負の信号（negative  going  signal）が挿入される。）任意的に、ビデオ信号の第２の部分は、選択されたビデオラインに同期パルス及び／またはカラーバースト修正を与えることにより、変更される。同期パルス、ＨＢＩパルス、またはカラーバーストの修正には動的な変調も静的な変調も含まれる。変調は位置、幅、周波数、及び／または振幅の変調である。
【０１５６】
一般的に、動的同期、同期、及び／またはカラーバーストの修正は、信号がテレビジョンセットに表示されると採算問題を生じるが、レコーダにより、より見られる画像が供給される。レコーダはビデオ信号の再生の際に同期パルス及び／またはカラーバーストを置換または再生するからである。その間にも、修正によりレコードまたはコンテンツ制御システムの制御コマンドは変化し、変更された制御コマンドによりレコーディングが可能となる。
【０１５７】
図１２は、本発明によりビデオ信号を修正する、すなわち、レコードまたはコンテンツ制御システムにおいて制御コマンドを変更する減衰及び／またはレベルシフトプロセスの使用を示すブロック図である。減衰プロセスには、コム（comb）、バンドパス、バンドリジェクト（band  reject）、ローパス、及び／またはハイパス伝達関数（transfer  functions）等のフィルタイングが含まれる。ビデオ信号はタイミング回路２５６に結合されている。このタイミング回路２５６はビデオ信号の一部と同時のタイミング（制御）信号を供給する。回路２５６の出力は減衰器及び／またはレベルシフト回路２５８を制御する。この回路２５８も入力２１０のビデオ信号と結合している。回路２５８の出力は、選択されたラインにおける選択された画素の減衰及び／またはレベルシフトを提供する。例えば、選択されたカラーバーストエンベロープの一部が減衰され、または選択されたバックポーチ部分が引き上げられる。すなわち、付加されたバックポーチパルスによりコンテンツ制御システムにおける制御コマンドの読み取りが変わる。一方、バックポーチの一部を下げる。バックポーチの下げた部分により、データ信号及び／またはタグとして使用される引き上げられたバックポーチパルスを正しく検知することができる。さらに別の例では、選択されたカラーバーストエンベロープの減衰により、レコードまたはコンテンツ制御システムで使用される修正されたカラーバーストが正しく検知されない。さらに別の例では、選択された同期パルスの減衰またはレベルシフトされた部分により、タグが正しく読み取りまたは検知できず、レコードまたはコンテンツ制御システムにおいて制御コマンドが変化する。留意すべきことは、選択された同期パルスの幅の修正によっても制御コマンドが変化することである。
【０１５８】
図１２の装置の使用の明らかな例には、選択されたビデオラインの選択されたバックポーチ領域の減衰またはレベルシフトがある。このように、コンテンツ制御に使用される、高くされた（raised）バックポーチパルスを変えると、それにより制御コマンドも変化する。
【０１５９】
図１２の回路は、データ信号の選択された部分（例えば、ＣＧＭＳ）を減衰またはレベルシフトさせ、データ信号を間違って読むようにして、レコードまたはコンテンツ制御システムにおける制御コマンドを変更する。
【０１６０】
図１３は本発明による回路を示す。この回路は選択されたビデオラインのバックポーチ（またはＨＢＩ）の一部を減衰する。ここで、ビデオ信号は、コンポーネントＲ１、Ｃ１、Ｃ２、Ｒ２、Ｑ１及びＲ３により構成された同期分離器回路２５５に入力２１０に供給される。トランジスタＱ１のコレクタは、逆位相の同期パルスを、コンポーネントＣ４、Ｒ５、Ｑ２、Ｒ６により構成されたタイミング回路２５７に出力する。トランジスタＱ２のコレクタ出力は、バックポーチ領域の一部と同時のパルスである。トランジスタＱ２の出力は、トランジスタまたはスイッチＱ３に結合され、選択されたビデオラインのバックポーチの一部を少なくとも減衰する。任意的に、キャパシタＣ５とインダクタＬ１を使用して、カラーバーストには減衰がほとんどまたはまったく無いようにするが、カラーバーストの一部またはバックポーチ信号の一部の減衰をするときは、回路から削除できる。キャパシタＣ６は、トランジスタＱ３がオンになっている時、ビデオ信号が少なくとも少し減衰するくらい大きいことが好ましい。抵抗Ｒ７の値は、所望の減衰量、例えば、レコードまたはコンテンツ制御システムにおいて制御コマンドを変更するためにビデオ信号の一部の十分な減衰を達成するように選択する。
【０１６１】
図１４は、選択された同期パルス（例えば、その一部）の幅を狭める、削除する、または減衰するために使用される、本発明の一実施形態を示す。例えば、疑似同期パルスの前にある少なくとも１つの水平同期パルスの幅をタイミング回路２６０、２６２、ＯＲゲート２６４、トランジスタスイッチＱ３、及びキャパシタＣ６により、例えば約４．７μｓｅｃから４．０μｓｅｃより短い期間に狭める。かかる幅を狭めた水平同期パルスは、例えば、必要に応じて水平同期パルスのほぼすべてを置換してもよい。
【０１６２】
具体的には、図１４は、図１３のものと同様な同期分離器回路２６６を含み、トランジスタＱ１のコレクタ出力は反転した同期パルスである。トランジスタＱ１の出力はタイミング回路２６０と２６２に結合され、この回路はビデオラインの選択された画素と同時の信号を生成する。トランジスタＱ１の出力は、フィルタ２６８を含む水平同期分離器に結合され、このフィルタ２６８はタイミング回路２７０、２７２に垂直パルスを供給する。タイミング回路２７２は、選択されたビデオラインの少なくとも一部と同時のパルスを出力する。すなわち、タイミング回路２７２の出力は選択されたビデオラインを示す。論理回路２７４は、タイミング回路２７２の出力を同期分離器２６６の出力と結合し、選択された同期パルスを（実質的に）削除し、幅を狭め、または減衰する信号を発生する。
【０１６３】
図１４に示したように、本発明の一実施形態により、垂直ブランキング区間（ＶＢＩ）中の垂直同期信号の後に配置された同期及び／または疑似同期パルスを削除し、幅を狭め、または減衰する。しかし、論理ゲート２７４はトランジスタＱ１から修正されたバージョン（version）を受け取る。すなわち、トランジスタＱ１のコレクタと論理回路２７４の第２の入力の間に、タイミング回路２６０やタイミング回路２６０、２６２と同等の回路であるタイミング（ジェネレータ）回路を挿入することにより、ＨＢＩと同時のパルスを生成する。回路２７４の出力を使用して、ＯＲゲート２６４、トランジスタＱ３、キャパシタＣ６により疑似同期パルスの前の選択された水平同期パルスのみを削除し、または幅を狭める。同様に、他の論理回路により、ＨＢＩの外にパルスを生成して、少なくとも１つの疑似同期パルスを選択的に幅を狭め、または減衰する。
【０１６４】
したがって、ＯＲゲート２６４は、例えば、ＶＢＩ中またはＶＢＩの外側にある選択された水平同期パルスの幅を狭めること、及び／または選択された水平同期パルスを削除することを組み合わせる。
【０１６５】
図１５は幅を広くした同期パルスを供給する、本発明の他の実施形態を示す。この同期パルスは例えば、バックポーチまたはカラーバースト領域に侵入する。同期パルス（例えば、水平同期パルス）の幅を広げる結果として、カラーストライプバースト信号の検出されるサイクルが少なくなり、レコードまたはコンテンツ制御システムにおいて制御コマンドが変更される。図５Ｃ、図５Ｄ、図５Ｆ、または図５Ｇの修正を参照。
【０１６６】
具体的に、図１５は、コンテンツ制御信号またはコピープロテクション信号の少なくとも一部を有するビデオ信号等の番組信号を示し、この番組信号は入力２１０を介して図１３及び図１４のものと同様の同期分離器回路２６６′に結合されている。トランジスタＱ１のコレクタ出力は、反転された同期パルスを示す。ダイオードＤ１、キャパシタＣ７、抵抗Ｒ７を含むピーク検出器／パルス伸張回路２８０は、トランジスタＱ１のコレクタを介して供給される反転同期パルスの終わりに、追加期間を付加する。パルス伸張回路２８０の出力は、スイッチ回路２８２の制御入力に供給される。スイッチ回路２８２の第２の入力は、電圧源２８４により供給された電圧であり、この電圧レベルはビデオ信号同期チップ（sync  tip）の電圧レベルと略同じである。スイッチ回路２８２への他の入力はビデオ信号を受け取る。スイッチ回路２８２の出力は、期間が長い同期信号で置き換えられている。アンプ２８６は、変更された制御コマンドを表す同期パルス期間が広くなる同期修正を伴うビデオ出力を供給する。
【０１６７】
図１６は、ＣＧＭＳ信号等のデータ信号の修正を行う、本発明のさらに別の実施形態を示す。この修正には、スタートビットまたは基準クロックの変更が含まれる。図４Ｉ、４Ｊ、６Ａ、６Ｄを参照せよ。最も簡単な実施形態では、スタートビットまたは基準クロックの一部を減衰または削除する。他の実施形態では、スタートビットまたは基準クロックが信号で置換される。この信号はスタートビットまたは基準クロックと干渉するか、またはそれを置換する。
【０１６８】
より具体的に、図１６に示したように、ビデオ信号は同期分離器回路２９０に結合される。この同期分離回路２９０の出力は水平パルスＨと垂直パルスＶである。垂直パルスＶはタイミング回路２９２に結合される。このタイミング回路２９２は選択されたビデオラインを示す信号を論理ゲート２９６の入力に供給する。水平パルスはタイミング回路２９４に結合される。このタイミング回路２９４は選択された画素を示す信号を発生する。タイミング回路２９４の出力は、論理ゲート２９６の第２の入力に結合される。論理ゲート２９６の出力は選択されたビデオラインの選択された画素を示す信号であり、図示したように、スイッチ回路２９８の制御入力に供給される。スイッチ回路２９８の１つの入力はグランド（または電圧信号）に結合され、他の入力は入力２１０のビデオ信号に結合される。スイッチ回路２９８の出力はその一部が新しい電圧で置換されたビデオ信号である。例えば、スイッチ回路２９８はデータ信号のスタートビットまたは基準クロックの少なくとも一部をグランドレベルまたはブランキングレベルで置換する。スイッチ回路２９８の出力は、制御コマンドを変更するようにビデオ信号の少なくとも一部をブランキングする出力信号として使用される。例えば、スタートビット、クロック信号、広い（垂直同期）パルス、または同期信号（例えば水平同期）等の基準信号（またはその一部）をブランキングすることにより、追って生成される制御コマンドを変更できる。また、コンテンツ制御信号の一部をブランキングすることにより、制御コマンドを変更できる。もちろん、ブランキングは信号電圧での置換や挿入も意味し得る。
【０１６９】
本発明の他の実施形態では、スイッチ回路２９８を使用して、基準信号の少なくとも一部をブランクにする（blank  out）。一方、タイミング回路３００は、加算回路３０２を介して、前の基準信号の替わりに修正された基準信号を供給する。例えば、修正された基準信号（その一部等）は、遅延または早められたスタートビットを含み、または位相または周波数が変更された基準クロックを含む。また、振幅レベルが修正された基準信号も含む。
【０１７０】
さらに別の実施形態では、ビデオ信号は加算回路３０２に結合され、スイッチ回路２９８は加算回路３０２から切り離される。タイミング回路３００は、干渉信号または加算された信号を供給し、（例えば、基準信号の）ビデオ信号の少なくとも一部と組み合わせる。
【０１７１】
留意すべきことは、上記のバックポーチは同期パルスに続く区間も含むことである。この同期パルスの幅を変更してもよく、この区間はアクティブビデオ部分に延長できるが、一般的にブランキング区間内にある。
【０１７２】
言うまでもなく、「読み出しを間違う」、「カラーストライプ信号を正しく検出できない」、「コンテンツ制御システムにおける効果を変更する」等の表現は、元のコンテンツ制御信号を変更することにより、それに対応する制御コマンドが相異なる制御コマンドに変更されることを意味している。これにより、リーダ／検出器回路は所望された元の制御コマンドではない制御コマンドを出力する。それゆえ「間違った（erroneous）」または「望まない（unintended）」制御コマンドである。さらに、変更された制御コマンドはリーダまたは検出器回路によりまったく読まれないこともある。
【０１７３】
具体的な実施形態に関してここに本発明を説明したが、別の様々な特徴や利点は明細書と図面から明らかである。本発明の範囲は請求項及びその均等物により規定される。
【０１７４】
例えば、コンテンツ制御システムの透かしを含む信号は、コンテンツ制御システムの前にコアリング（coring）または信号処理が行われると、それに続く（subsequent）コマンドを変更する。
【０１７５】
他の例では、透かしの入った信号またはコンテンツ制御信号を含む（番組）信号は、コンテンツ制御システムの前にその信号をスクランブルまたはエンコーディングして変換され（例えば、図２Ａの修正回路３８）、これによりコマンドが変更される（例えば、レコーディング、表示、配信、または送信が許可される）。信号（例えば、番組ビデオ、番組オーディオ、またはデータ）を読み出すには、コンテンツ制御システムの前にデスクランブラまたはデコーダ（例えば、図２Ａのデコーダまたはデスクランブラ４１）が必要である。例えば、図２Ａにおいて、修正回路３８は、透かしが入った信号やコンテンツ制御信号を含む信号等をエンコードする変換装置（例えば、ハードウェア及び／またはソフトウェアのスクランブラまたはエンコーダ）である。デコーダやデスクランブラ４１は、「逆」変換装置（例えば、ハードウェア及び／またはソフトウェアのデスクランブラまたはデコーダ）であり、番組信号を回復、受信、表示等をし、これらはコンテンツ制御コマンドを変更し、またはコンテンツ制御信号を回避するプロセスとして作用する。
【０１７６】
一例において、透かしまたはコンテンツ制御信号を有する信号（例えば、ビデオ信号）を考える。コンテンツ制御システムの前に、例えば、ラインシャッフル、ラインカット回転、またはピクセル再分配法を提供するスクランブラを使用して透かしを入れたビデオ信号を変更（またはビデオ信号中のコンテンツ制御信号をスクランブル／変更）する場合、リーダにより透かしが信頼性高く読み取られない可能性が高い。よって、コンテンツ制御コマンドが変更され、例えば、配信、送信、またはレコーディングが可能となる。図２Ａに示したようにコンテンツ制御システムの後にデスクランブラを単に結合することにより、信号（例えば、ビデオ信号）が（例えば、不正に）配信、送信、またはレコーディングされ得る。透かしを含むオーディオ信号の場合、一例は、スペクトルを静的または動的なキャリアオフセットでシフトまたは変換することを含む。
【０１７７】
例えば、５０Ｈｚから１５ｋＨｚのベースバンドのオーディオ信号は、１５ｋＨｚから５０Ｈｚ、または一般的には５０Ｈｚ＋／−Ｆ１から１５ｋＨｚ＋／−Ｆ１に変換される。ここで、Ｆ１は一定または時間変化する周波数である。オーディオコンテンツ制御システムがこのスクランブルされたオーディオシステムにおいて透かしを読もうとする時、メッセージは歪むか失われ、コンテンツ制御コマンドが変化する。コンテンツ制御システムの後でオーディオ信号を回復（recover）するには、オーディオデスクランブラを使用する。これにより、不正な配信、再生（reproduction）、レコーディングが起こりうる。もちろん、コンテンツ制御システムの一部である組み込まれた信号は変換プロセス、及び／または不正に番組、データ、または情報を表示、配信、送信、レコーディング等する「逆」変換プロセスにかけられ、コンテンツ制御システムにおける制御コマンドを変更する。組み込まれる信号には、例えば、透かし、データ信号、コピープロテクション情報信号、データ信号その他の信号を有するコピープロテクション信号の少なくとも一部等を含む。
【０１７８】
コンテンツ制御システムにおけるコマンドを変更するこの変換プロセス（例えば、スクランブリングまたはエンコーディング）、または元の信号を実質的に回復する逆変換プロセス（例えば、デスクランブリングまたはデコーディング）はハードウェアまたはソフトウェアで実施することができる。また、例えば、ワイヤ、ウェブ、無線等による不正素材の配信は信号変換方法により実現できることに留意せよ。
【０１７９】
このように、前の段落で説明し、この後の段落で説明するすべての実施形態と、図面に示したすべての実施形態は、ソフトウェア及び／またはハードウェアで実施することができる。
【０１８０】
また、上記の準拠装置にはプリンタ、電気製品等が含まれる。例えば、コンテンツ制御システムにおいて、制御コマンドはユーザを、特定のページ、段落、テキスト、写真、及び／またはグラフィックスの印刷に限定させることができる。プリンタの他の機能や特徴をコンテンツ制御コマンドで制約することもできる。このように、コンテンツ制御システムの表示装置にはプリンタを含み得る。同様に、（新奇または唯一の）コンテンツ制御システムは、上記のプリンタの例で述べたように、表示、送信、及び／または配信する情報を制約することもできる。
【０１８１】
留意すべきことは、上記の修正方法には、（例えば、コマンドを変更するために）デジタルフィルタ、アナログフィルタ、またはコムフィルタが含まれ得ることである。例えば、ビデオコムフィルタ（video  comb  filter）は、（例えば、輝度と色度を分離するため電圧的に）前のテレビラインを現在のラインに加えることができるディレイライン（delay  lines）を利用できる。このように２つのビデオラインを加えることにより、ＣＧＭＳ等のデータ信号（例えば、コンテンツ制御信号）を壊すことができる。ほぼ間違いなく、他のラインがデータラインに干渉信号を加えるからである。また、フィルタリングによりデータ信号またはコンテンツ制御信号を歪ませることができる。例えば、周波数バンドリジェクトフィルタまたはノッチフィルタ（バンドパスフィルタ、ローパスフィルタ、またはハイパスフィルタ）はコンテンツ制御信号を歪ませることができる。この他の修正方法または装置には、ディゾルブ（dissolve）（例えば効果）またはミキシングアンプが含まれる。これは、コンテンツ制御信号を減衰したり、それに後でコマンドの変化を引き起こす信号を加えたりすることができる。
【図面の簡単な説明】
【０１８２】
【図１】先行技術のレコードまたはコンテンツ制御システムを示すブロック図である。
【図２】本発明の基本構成を示すブロック図である。
【図２Ａ】コンテンツ制御システムの少なくとも効果または機能を変更するコンテンツ制御システムと共に本発明を示すブロック図である。少なくとも基準信号、コピープロテクション信号、またはコンテンツ制御信号の一部は、本発明により選択的に修正される。透かしを特徴とする別の実施形態も示した。
【図２Ｂ】信号のレコーディング、配信、送信、変換、または表示を制御する、図２の本発明と協働するコンテンツ制御システムを示すブロック図である。
【図２Ｃ】表示をする、図２の本発明と協働するコンテンツ制御システムを示すブロック図である。
【図２Ｄ】コンテンツ制御信号やコピープロテクション信号を再配信する、図２の本発明と協働するコンテンツ制御システムを示すブロック図である。
【図２Ｅ】コンテンツ制御信号またはレコード制御信号を検出する先行技術の方法を例として示すブロック図である。
【図２Ｆ】コンテンツ制御信号またはレコード制御信号を検出する先行技術の方法を例として示すブロック図である。
【図２Ｇ】コンテンツ制御信号またはレコード制御信号を検出する先行技術の方法を例として示すブロック図である。
【図３】本発明と協働する同期／ヘッダ信号修正器等の基準信号修正器の環境を示すブロック図である。
【図３Ａ】本発明と協働する信号を付加または挿入若しくは他の信号の少なくとも一部を削除する修正器システムの環境を示すブロック図である。
【図４】コピープロテクション信号を含む典型的なビデオ信号（ＮＴＳＣ標準規格）の波形を示す図である。
【図４Ａ】は、図８乃至図１６に示す本発明の実施形態により発生される波形を示す。
【図４Ｂ】は、図８乃至図１６に示す本発明の実施形態により発生される波形を示す。
【図４Ｃ】は、図８乃至図１６に示す本発明の実施形態により発生される波形を示す。
【図４Ｄ】は、図８乃至図１６に示す本発明の実施形態により発生される波形を示す。
【図４Ｅ】は、図８乃至図１６に示す本発明の実施形態により発生される波形を示す。
【図４Ｆ】は、図８乃至図１６に示す本発明の実施形態により発生される波形を示す。
【図４Ｇ】は、図８乃至図１６に示す本発明の実施形態により発生される波形を示す。
【図４Ｈ】は、図８乃至図１６に示す本発明の実施形態により発生される波形を示す。
【図４Ｉ】は、図８乃至図１６に示す本発明の実施形態により発生される波形を示す。
【図４Ｊ】は、図８乃至図１６に示す本発明の実施形態により発生される波形を示す。
【図４Ｋ】は、図８乃至図１６に示す本発明の実施形態により発生される波形を示す。
【図４Ｌ】は、図８乃至図１６に示す本発明の実施形態により発生される波形を示す。
【図４Ｍ】は、図８乃至図１６に示す本発明の実施形態により発生される波形を示す。
【図４Ｏ】は、図８乃至図１６に示す本発明の実施形態により発生される波形を示す。
【図４Ｎ】例えばビデオライン１−２２のＶＢＩに垂直同期信号を含む典型的なビデオ信号（ＮＴＳＣ標準規格）の波形を示す図である。
【図５Ａ】コピープロテクション信号の効果を低減し、及び／またはコンテンツ制御システムの制御コマンドを変更するカラーストライプスプリットバースト信号の部分波形を示す図である。
【図５Ｂ】コピープロテクション信号の効果を低減し、及び／またはコンテンツ制御システムの制御コマンドを変更するカラーストライプスプリットバースト信号の部分波形を示す図である。
【図５Ｃ】コピープロテクション信号の効果を低減し、及び／またはコンテンツ制御システムの制御コマンドを変更するカラーストライプスプリットバースト信号の部分波形を示す図である。
【図５Ｄ】コピープロテクション信号の効果を低減し、及び／またはコンテンツ制御システムの制御コマンドを変更するカラーストライプスプリットバースト信号の部分波形を示す図である。
【図５Ｅ】コピープロテクション信号の効果を低減し、及び／またはコンテンツ制御システムの制御コマンドを変更するカラーストライプスプリットバースト信号の部分波形を示す図である。
【図５Ｆ】コピープロテクション信号の効果を低減し、及び／またはコンテンツ制御システムの制御コマンドを変更するカラーストライプスプリットバースト信号の部分波形を示す図である。
【図５Ｇ】コピープロテクション信号の効果を低減し、及び／またはコンテンツ制御システムの制御コマンドを変更するカラーストライプスプリットバースト信号の部分波形を示す図である。
【図５Ｈ】コピープロテクション信号の効果を低減し、及び／またはコンテンツ制御システムの制御コマンドを変更するカラーストライプスプリットバースト信号の部分波形を示す図である。
【図５Ｉ】コンテンツ制御システムのコマンドを修正できるコピープロテクション信号または信号を示す図である。
【図５Ｊ】コンテンツ制御システムのコマンドを修正できるコピープロテクション信号または信号を示す図である。
【図５Ｋ】コンテンツ制御システムのコマンドを修正できるコピープロテクション信号または信号を示す図である。
【図６】先行技術のデータ信号の波形を示す図である。
【図６Ｂ】先行技術のデータ信号の波形を示す図である。
【図６Ａ】本発明によるデータ信号及び／またはタグ信号になされた修正の波形を示す図である。
【図６Ｃ】本発明によるデータ信号及び／またはタグ信号になされた修正の波形を示す図である。
【図６Ｄ】本発明によるデータ信号及び／またはタグ信号になされた修正の波形を示す図である。振幅変調を含んでもよい。
【図７】コンテンツ制御システムまたはコピープロテクションシステムに含まれる様々な信号を修正する制御信号を供給する先行技術の回路を示すブロック図である。
【図８】図２に示した本発明の修正回路の実施形態を示すブロック図及び／または概略図である。この修正回路は図４乃至図６Ｄに示した少なくとも１つの対応する波形及び信号を発生する。
【図９】図２に示した本発明の修正回路の実施形態を示すブロック図及び／または概略図である。この修正回路は図４乃至図６Ｄに示した少なくとも１つの対応する波形及び信号を発生する。
【図１０】図２に示した本発明の修正回路の実施形態を示すブロック図及び／または概略図である。この修正回路は図４乃至図６Ｄに示した少なくとも１つの対応する波形及び信号を発生する。
【図１１】図２に示した本発明の修正回路の実施形態を示すブロック図及び／または概略図である。この修正回路は図４乃至図６Ｄに示した少なくとも１つの対応する波形及び信号を発生する。
【図１２】図２に示した本発明の修正回路の実施形態を示すブロック図及び／または概略図である。この修正回路は図４乃至図６Ｄに示した少なくとも１つの対応する波形及び信号を発生する。
【図１３】図２に示した本発明の修正回路の実施形態を示すブロック図及び／または概略図である。この修正回路は図４乃至図６Ｄに示した少なくとも１つの対応する波形及び信号を発生する。
【図１４】図２に示した本発明の修正回路の実施形態を示すブロック図及び／または概略図である。この修正回路は図４乃至図６Ｄに示した少なくとも１つの対応する波形及び信号を発生する。
【図１５】図２に示した本発明の修正回路の実施形態を示すブロック図及び／または概略図である。この修正回路は図４乃至図６Ｄに示した少なくとも１つの対応する波形及び信号を発生する。
【図１６】図２に示した本発明の修正回路の実施形態を示すブロック図及び／または概略図である。この修正回路は図４乃至図６Ｄに示した少なくとも１つの対応する波形及び信号を発生する。
【図１】
2008541563.tif 000003
【図２】
2008541563.tif 000004
【図２Ａ】
2008541563.tif 000005
【図２Ｂ】
2008541563.tif 000006
【図２Ｃ】
2008541563.tif 000007
【図２Ｄ】
2008541563.tif 000008
【図２Ｅ】
2008541563.tif 000009
【図２Ｆ】
2008541563.tif 000010
【図２Ｇ】
2008541563.tif 000011
【図３】
2008541563.tif 000012
【図３Ａ】
2008541563.tif 000013
【図４】
2008541563.tif 000014
【図４Ａ】
2008541563.tif 000015
【図４Ｂ】
2008541563.tif 000016
【図４Ｃ】
2008541563.tif 000017
【図４Ｄ】
2008541563.tif 000018
【図４Ｅ】
2008541563.tif 000019
【図４Ｆ】
2008541563.tif 000020
【図４Ｇ】
2008541563.tif 000021
【図４Ｈ】
2008541563.tif 000022
【図４Ｉ】
2008541563.tif 000023
【図４Ｊ】
2008541563.tif 000024
【図４Ｋ】
2008541563.tif 000025
【図４Ｌ】
2008541563.tif 000026
【図４Ｍ】
2008541563.tif 000027
【図４Ｎ】
2008541563.tif 000028
【図４Ｏ】
2008541563.tif 000029
【図５】
2008541563.tif 000030
【図５Ａ】
2008541563.tif 000031
【図５Ｂ】
2008541563.tif 000032
【図５Ｃ】
2008541563.tif 000033
【図５Ｄ】
2008541563.tif 000034
【図５Ｅ】
2008541563.tif 000035
【図５Ｆ】
2008541563.tif 000036
【図５Ｇ】
2008541563.tif 000037
【図５Ｈ】
2008541563.tif 000038
【図５Ｉ】
2008541563.tif 000039
【図５Ｊ】
2008541563.tif 000040
【図５Ｋ】
2008541563.tif 000041
【図６】
2008541563.tif 000042
【図６Ａ】
2008541563.tif 000043
【図６Ｂ】
2008541563.tif 000044
【図６Ｄ】
2008541563.tif 000045
【図７】
2008541563.tif 000046
【図８】
2008541563.tif 000047
【図９】
2008541563.tif 000048
【図１０】
2008541563.tif 000049
【図１１】
2008541563.tif 000050
【図１２】
2008541563.tif 000051
【図１３】
2008541563.tif 000052
【図１４】
2008541563.tif 000053
【図１５】
2008541563.tif 000054
【図１６】
2008541563.tif 000055
【国際調査報告】
2008541563.tif 000056